(57)【要約】【課題】区画部材の負荷を低減することが可能な電気かみそりを提供する。【解決手段】電気かみそり１は、固定刃９０と、固定刃９０に対して往復直線運動する可動刃１００と、可動刃１００を駆動する電動モーター２１とを有する。また、電動モーター２１の回転運動を往復直線運動として可動刃１００に伝達する第３リンク３３と、第３リンク３３に接続される防塵ゴム１６とを有する。本体空間ＲＡは、防塵ゴム１６により基端側空間ＲＢおよび先端側空間ＲＣに区画される。防塵ゴム１６は、下方ＺＡ２側に突出した中央部１６Ａを有する。【選択図】図１６
2013126437.tif 000002
【特許請求の範囲】
【請求項１】
固定刃と、前記固定刃に対して往復直線運動する可動刃と、前記可動刃を駆動する駆動源と、前記駆動源、前記固定刃、および前記可動刃を支持する本体と、前記駆動源の出力部の運動を前記往復直線運動として前記可動刃に伝達する伝達部と、前記伝達部に接続される区画部材とを有し、前記可動刃の往復直線運動の方向を縦方向として、前記本体の長手方向は、前記固定刃の平面視において前記縦方向と一致する電気かみそりにおいて、
前記区画部材は、前記可動刃側から前記駆動源側に向かう基端方向に突出した基端側凸部および前記駆動源側から前記可動刃側に向かう先端方向に突出した先端側凸部の少なくとも一方を有する。
【請求項２】
前記伝達部は、前記区画部材を貫通する
請求項１に記載の電気かみそり。
【請求項３】
前記区画部材は、前記先端側凸部を有し、
前記伝達部は、前記先端側凸部を貫通する
請求項２に記載の電気かみそり。
【請求項４】
前記区画部材は、前記本体の内面に接触する縁部と、前記縁部よりも内側の外周部とを有し、
前記縁部の前記先端方向の端部は、前記外周部の前記縁部と接する部分の前記先端方向の端部よりも前記先端方向に位置する
請求項１〜３のいずれか一項に記載の電気かみそり。
【請求項５】
前記区画部材は、ゴム材料により形成される
請求項１〜４のいずれか一項に記載の電気かみそり。
【発明の詳細な説明】
【技術分野】
【０００１】
本発明は、駆動源と、固定刃と、可動刃と、駆動源および固定刃および可動刃を支持する本体と、可動刃に駆動源の運動を伝達する伝達機構と、伝達機構に接続される区画部材とを有する電気かみそりに関する。
【背景技術】
【０００２】
特許文献１の電気かみそりは、本体内の駆動源を収容する空間に毛屑、埃、および水等（以下、「毛屑等」）が入り込むことを抑制する区画部材を有する。
【先行技術文献】
【特許文献】
【０００３】
【特許文献１】実開平４−３６９６９号公報
【発明の概要】
【発明が解決しようとする課題】
【０００４】
上記電気かみそりの区画部材は、伝達機構に接続される。一方、伝達機構は往復直線運動する。このため、伝達機構の運動にともない区画部材に負荷がかかる。
本発明は、上記課題を解決するため、区画部材の負荷を低減することが可能な電気かみそりを提供することを目的とする。
【課題を解決するための手段】
【０００５】
・本発明の電気かみそりは、固定刃と、前記固定刃に対して往復直線運動する可動刃と、前記可動刃を駆動する駆動源と、前記駆動源、前記固定刃、および前記可動刃を支持する本体と、前記駆動源の出力部の運動を前記往復直線運動として前記可動刃に伝達する伝達部と、前記伝達部に接続される区画部材とを有し、前記可動刃の往復直線運動の方向を縦方向として、前記本体の長手方向は、前記固定刃の平面視において前記縦方向と一致する電気かみそりにおいて、前記区画部材は、前記可動刃側から前記駆動源側に向かう基端方向に突出した基端側凸部および前記駆動源側から前記可動刃側に向かう先端方向に突出した先端側凸部の少なくとも一方を有することを特徴とする。
【０００６】
・上記電気かみそりにおいて、前記伝達部は前記区画部材を貫通することが好ましい。
・上記電気かみそりにおいて、前記区画部材は、前記先端側凸部を有し、前記伝達部は、前記先端側凸部を貫通することが好ましい。
【０００７】
・上記電気かみそりにおいて、前記区画部材は、前記本体の内面に接触する縁部と、前記縁部よりも内側の外周部とを有し、前記縁部の前記先端方向の端部は、前記外周部の前記縁部と接する部分の前記先端方向の端部よりも、前記先端方向に位置することが好ましい。
【０００８】
・上記電気かみそりにおいて、前記区画部材は、ゴム材料により形成されることが好ましい。
【発明の効果】
【０００９】
本発明は、区画部材の負荷を低減することが可能な電気かみそりを提供する。
【図面の簡単な説明】
【００１０】
【図１】本発明の実施形態の電気かみそりについて、（ａ）は装置本体からキャップが取り外された状態の斜視構造を示す斜視図、（ｂ）は装置本体にキャップが取り付けられた状態の斜視構造を示す斜視図。
【図２】実施形態の電気かみそりについて、（ａ）はその側面構造を示す側面図、（ｂ）はその断面構造を示す断面図。
【図３】実施形態の電気かみそりについて、装置本体の分解斜視構造を示す分解斜視図。
【図４】実施形態の電気かみそりについて、装置本体の一部の断面構造を拡大して示す断面図。
【図５】実施形態の電気かみそりについて、ヘッド部の分解斜視構造を示す分解斜視図。
【図６】実施形態の電気かみそりについて、刃ブロックの分解斜視構造を示す分解斜視図。
【図７】実施形態の電気かみそりについて、（ａ）は固定刃の正面構造を示す正面図、（ｂ）は固定刃の平面構造を示す平面図、（ｃ）は（ａ）のＤＡ−ＤＡ線に沿う断面構造を示す断面図、（ｄ）は（ｂ）の領域ＲＡを拡大して示す平面図。
【図８】実施形態の電気かみそりについて、（ａ）は固定刃保持部の正面構造を示す正面図、（ｂ）は固定刃保持部の平面構造を示す平面図、（ｃ）は固定刃保持部を矢印ＡＣから見たときの側面構造を示す側面図、（ｄ）は固定刃保持部を矢印ＡＤから見たときの側面構造を示す側面図、（ｅ）は（ｂ）のＤＢ−ＤＢ線に沿う断面構造を示す断面図。
【図９】実施形態の電気かみそりについて、（ａ）は可動刃の正面構造を示す正面図、（ｂ）は可動刃の平面構造を示す平面図、（ｃ）は可動刃のＤＣ−ＤＣ線に沿う断面構造を示す断面図。
【図１０】実施形態の電気かみそりについて、（ａ）は可動刃保持部の正面構造を示す正面図、（ｂ）は可動刃保持部の平面構造を示す平面図、（ｃ）は固定刃保持部のＤＤ−ＤＤ線に沿う断面構造を示す断面図。
【図１１】実施形態の電気かみそりについて、（ａ）（ｂ）は固定刃が取り付けられた固定刃保持部の正面構造を示す正面図、（ｃ）は、（ａ）のＤＥ−ＤＥ線に沿う断面構造を示す断面図、（ｄ）は、（ｃ）の一部を拡大して示す断面図。
【図１２】実施形態の電気かみそりについて、可動刃が取り付けられた可動刃保持部の正面構造を示す正面図。
【図１３】実施形態の電気かみそりについて、刃ブロックの斜視構造を示す斜視図。
【図１４】実施形態の電気かみそりについて、（ａ）は刃ブロックの平面構造を示す平面図、（ｂ）は（ａ）のＤＦ−ＤＦ線に沿う断面構造を示す断面図、（ｃ）は（ｂ）の一部分を拡大して示す断面図。
【図１５】実施形態の電気かみそりについて、（ａ）はヘッド部の斜視構造を示す斜視図、（ｂ）はヘッド部の平面構造を示す平面図。
【図１６】実施形態の電気かみそりについて、（ａ）は装置本体の一部およびヘッド部の拡大断面構造を示す断面図、（ｂ）はヘッドリンクの正面構造を示す正面図。
【図１７】実施形態の電気かみそりについて、（ａ）は図１６のヘッド部から刃ブロックが省略された状態の断面構造を示す断面図、（ｂ）は同（ａ）の状態から電動モーターの出力軸が９０°回転した状態の断面構造を示す断面図、（ｃ）は同（ａ）の状態における駆動装置および変換機構のＺＡ−ＺＣ平面上の関係を模式的に示す平面図、（ｄ）は同（ｃ）の状態における駆動装置および変換機構のＺＡ−ＺＣ平面上の関係を模式的に示す平面図。
【図１８】実施形態の電気かみそりについて、（ａ）は図１７（ａ）の状態から電動モーターの出力軸が９０°回転した状態の断面構造を示す断面図、（ｂ）は同（ａ）の状態から電動モーターの出力軸が９０°回転した状態の断面構造を示す断面図、（ｃ）は同（ａ）の状態における駆動装置および変換機構のＺＡ−ＺＣ平面上の関係を模式的に示す平面図、（ｄ）は同（ｃ）の状態における駆動装置および変換機構のＺＡ−ＺＣ平面上の関係を模式的に示す平面図。
【図１９】実施形態の電気かみそりについて、（ａ）は刃相対位置が中立位置のときの図１４（ａ）のＤＧ−ＤＧ線に沿う断面構造を模式的に示す部分断面図、（ｂ）は刃相対位置が最大押方位置のときの図１４（ａ）のＤＧ−ＤＧ線に沿う断面構造を模式的に示す部分断面図、（ｃ）刃相対位置が最大引方位置のときの図１４（ａ）のＤＧ−ＤＧ線に沿う断面構造を模式的に示す部分断面図。
【図２０】実施形態の電気かみそりについて、（ａ）は装置本体にヘッド部が取り付けられる前の斜視構造を示す斜視図、（ｂ）は装置本体にヘッド部が取り付けられた後の斜視構造を示す斜視図。
【図２１】実施形態の電気かみそりについて、（ａ）は変換機構の第３リンクおよびヘッド部の一部の断面構造を示す断面図、（ｂ）は同（ａ）のＤＨ−ＤＨ線に沿う断面構造を示す断面図。
【図２２】実施形態の電気かみそりについて、（ａ）は図２１（ａ）の状態からヘッド部が回転した状態の断面構造を示す断面図、（ｂ）は同（ａ）のＤＩ−ＤＩ線に沿う断面構造を示す断面図。
【図２３】実施形態の電気かみそりについて、（ａ）は図２２（ａ）の状態からヘッド部が回転した状態の断面構造を示す断面図、（ｂ）は同（ａ）のＤＪ−ＤＪ線に沿う断面構造を示す断面図。
【図２４】実施形態の電気かみそりについて、（ａ）は図２３（ａ）の状態からヘッド部が回転した状態の断面構造を示す断面図、（ｂ）は同（ａ）のＤＫ−ＤＫ線に沿う断面構造を示す断面図。
【図２５】実施形態の電気かみそりについて、（ａ）は図２４（ａ）の状態からヘッド部が回転した状態の断面構造を示す断面図、（ｂ）は同（ａ）のＤＬ−ＤＬ線に沿う断面構造を示す断面図。
【図２６】実施形態の電気かみそりについて、髭を剃るとき外刃ブロックの動作を示す動作図。
【図２７】仮想の電気かみそりについて、髭を剃るときの外刃ブロックの動作を示す動作図。
【図２８】変形例の電気かみそりについて、刃ブロックの分解斜視構造を示す分解斜視図。
【図２９】変形例の電気かみそりについて、外刃の断面構造を示す断面図。
【図３０】変形例の電気かみそりについて、外刃の断面構造を示す断面図。
【図３１】仮想の電気かみそりについて、（ａ）はケースが取り外された状態の平面構造を示す平面図、（ｂ）は同（ａ）の変換機構の斜視構造を模式的に示す斜視図。
【発明を実施するための形態】
【００１１】
図１を参照して、電気かみそり１の構成について説明する。
図１（ａ）に示されるように、電気かみそり１は、ユーザーが把持する装置本体１０と、装置本体１０のヘッド部５０に取り付けられる体毛を剃るための刃ブロック６０と、刃ブロック６０を保護するキャップ２００とを有する。刃ブロック６０は、固定刃９０を１つのみ有する。装置本体１０は、細長い円筒形状を有する。また、装置本体１０にキャップ２００を嵌着すると、装置本体１０とキャップ２００はその外周面が連続する丸棒状となる。
【００１２】
図１（ｂ）に示されるように、キャップ２００は、装置本体１０への取り付けおよび装置本体１０からの取り外しが可能な構造を有する。また、装置本体１０に取り付けられた状態において、ヘッド部５０の全体を覆う。
【００１３】
ここで、装置本体１０についての各方向を以下のように定義する。なお、軸方向ＺＡは、「本体の長手方向」に相当する。また、上方ＺＡ１は「先端方向」に相当する。また、下方ＺＡ２は「基端方向」に相当する。
（Ａ）正面視において軸方向ＺＡと直交する方向を本体横方向ＺＢとする。
（Ｂ）軸方向ＺＡおよび本体横方向ＺＢに直交する方向を本体奥行方向ＺＣとする。
（Ｃ）軸方向ＺＡの本体１０からヘッド部５０に向かう方向を上方ＺＡ１とする。
（Ｄ）軸方向ＺＡのヘッド部５０から装置本体１０に向かう方向を下方ＺＡ２とする。
（Ｅ）本体奥行方向ＺＣの本体１０の正面から背面に向かう方向を後方ＺＣ２とする。
（Ｆ）本体奥行方向ＺＣの本体１０の背面から正面に向かう方向を前方ＺＣ１とする。
【００１４】
図２を参照して、装置本体１０の構成について説明する。
図２（ａ）に示されるように、装置本体１０は、軸方向ＺＡの中間部分において図１のキャップ２００の端面と接触する段差部分を有する。装置本体１０の軸方向ＺＡの長さは、ヘッド部５０の軸方向ＺＡの長さよりも大きい。
【００１５】
図２（ｂ）に示されるように、装置本体１０は、各種部品を収容するための本体空間ＲＡを有する本体ケース１０Ａと、電気かみそり１の電源となる２次電池１７と、刃ブロック６０の可動刃１００（図５参照）を駆動する駆動装置２０と、刃ブロック６０が嵌め込まれるヘッド部５０とを有する。またこの他に、駆動装置２０の電動モーター２１の回転を往復直線運動に変換してヘッド部５０に伝達する変換機構３０と、２次電池１７および駆動装置２０を電気的に接続する配線部材４０とを有する。またこの他に、装置本体１０内部への異物の侵入を抑制する防塵ゴム１６と、駆動装置２０の駆動および停止を切り替える電源スイッチ１８とを有する。
【００１６】
ヘッド部５０は、装置本体１０から上方ＺＡ１に延長するように突出する。また、装置本体１０の径より小さい径で直方体状に形成される。ヘッド部５０は、各種部品を収容および支持するヘッドケース５０Ａと、ヘッドケース５０Ａの正面に固定された刃ブロック６０をヘッドケース５０Ａから取り外すための解除ボタン５５とを有する。またこの他に、変換機構３０から伝達される力により往復直線運動する中継部材５４と、中継部材５４から伝達される力を刃ブロック６０に伝達するヘッドリンク５３とを有する。中継部材５４およびヘッドリンク５３は、ヘッドケース５０Ａの内部に位置する。
【００１７】
防塵ゴム１６は、第２ケース１２の内面に形成される溝部１２Ａに嵌め込まれる。装置本体１０内の本体空間ＲＡは、防塵ゴム１６により下方ＺＡ２側の基端側空間ＲＢおよび上方ＺＡ１側の先端側空間ＲＣに区画される。基端側空間ＲＢは、電動モーター２１を収容する。また、先端側空間ＲＣは、刃ブロック６０の一部を収容する。
【００１８】
図３を参照して、装置本体１０の詳細な構成について説明する。
装置本体１０は、駆動装置２０等の他に、２次電池１７と駆動装置２０との電気的な接続および遮断を切り替える接点金具１９を有する。
【００１９】
電源スイッチ１８は、ユーザーにより操作される操作部１８Ａと、接点金具１９が取り付けられる取付部分１８Ｂと、本体ケース１０Ａの外部に位置する操作面１８Ｃと、電源スイッチ１８の操作時にユーザーに対してクリック感を付与するクリック部分１８Ｄとを有する。電源スイッチ１８は、装置本体１０のうちの正面部分に位置する。
【００２０】
２次電池１７は、本体空間ＲＡにおいて下方ＺＡ２側に収容される。電動モーター２１は、本体空間ＲＡにおいて、２次電池１７に隣接する位置かつ２次電池１７よりも上方ＺＡ１側の位置に収容される。
【００２１】
電源スイッチ１８は、装置本体１０の軸方向ＺＡの中央部において装置本体１０の軸方向ＺＡにスライド可能に支持される。電源スイッチ１８は、スライドすることにより、モーター２１への電源の供給を開始または停止する。モーター２１の状態は、電源スイッチ１８に応じて、作動状態または停止状態のいずれかに切り替えられる。すなわち、駆動装置２０の状態は、電源スイッチ１８の位置に応じて駆動および停止する。
【００２２】
本体ケース１０Ａは、第１ケース１１、第２ケース１２、および第３ケース１３の他に、第１ケース１１および第２ケース１２を互いに固定するための上方リング１４および下方リング１５を有する。
【００２３】
駆動装置２０は、出力軸２２を有する電動モーター２１と、出力軸２２と同軸を有する回転部材２３と、回転部材２３に対して偏心した中心線を有する偏心軸２４と、駆動装置２０の回転を変換機構３０に伝達するローラー２５とを有する。回転部材２３は、出力軸２２に固定されている。偏心軸２４は、回転部材２３に固定されている。ローラー２５は、偏心軸２４に対して回転可能な状態で偏心軸２４により支持されている。なお、出力軸２２は「出力部」に相当する。
【００２４】
偏心軸２４の中心線は、出力軸２２の中心線の方向と平行する。また、電源スイッチ１８の操作面１８Ｃを軸方向ＺＡおよび本体横方向ＺＢに沿う仮想平面と見立てたとき、偏心軸２４の中心線は、この仮想平面と平行する。
【００２５】
変換機構３０は、出力軸２２の回転を軸方向ＺＡの直線運動に変換する３つのリンク、すなわち第１リンク３１、第２リンク３２、および第３リンク３３と、第１リンク３１の回転中心としての支持軸３４とを有する。
【００２６】
第１リンク３１は、支持軸３４まわりで回転する回転軸３１Ｃと、ローラー２５を支持する入力部分３１Ｄと、入力部分３１Ｄと回転軸３１Ｃとを互いに接続する第１アーム３１Ａと、回転軸３１Ｃから第２リンク３２側に突出する第２アーム３１Ｂとを有する。入力部分３１Ｄの内周面は、ローラー２５の外周面と接触した状態でローラー２５を支持している。
【００２７】
回転軸３１Ｃ、入力部分３１Ｄ、第１アーム３１Ａ、および第２アーム３１Ｂは、同一の樹脂材料により一体の部品として形成されている。第１アーム３１Ａおよび第２アーム３１Ｂは、回転軸３１Ｃの周方向において互いに異なる方向に突出している。回転軸３１Ｃは、支持軸３４に対する回転が可能な状態で支持軸３４により支持されている。支持軸３４の中心線の方向は、偏心軸２４の中心線の方向と直交する。
【００２８】
第２リンク３２は、軸方向ＺＡおよび本体奥行方向ＺＣの平面視においてひし形の形状を有する。第２リンク３２の入力端部３２Ａは、第２アーム３１Ｂに対する回転が可能な状態で第２アーム３１Ｂに接続されている。第２リンク３２の出力端部３２Ｂは、第３リンク３３に対する回転が可能な状態で第３リンク３３に接続されている。
【００２９】
第３リンク３３は、軸方向ＺＡに延びるリンク軸３３Ｂと、図５のヘッド部５０に固定するための固定板３３Ａと、防塵ゴム１６を固定するための突出リング３３Ｃおよび支持凸部３３Ｄとを有する。固定板３３Ａは、リンク軸３３Ｂの上方ＺＡ１側の端部に形成される。突出リング３３Ｃおよび支持凸部３３Ｄは、リンク軸３３Ｂの軸方向ＺＡの中間部分に形成される。なお、第３リンク３３、ヘッドリンク５３、および中継部材５４は「伝達部」に相当する。
【００３０】
第１ケース１１は、支持軸３４を固定するための軸固定部分１１Ａと、第３リンク３３の移動を案内する軸案内部分１１Ｂと、第３リンク３３を支持する支持部分１１Ｃとを有する。
【００３１】
配線部材４０は、２次電池１７の陽極に接続される陽極金具４１と、２次電池１７の陰極に接続される陰極金具４２と、電動モーター２１に接続されるモーター金具４３とを有する。またこの他に、対応する金具同士を電気的に接続する回路基板４５と、回路基板４５に電気的に接続される基板金具４４とを有する。回路基板４５は、電動モーター２１が短絡したときに電動モーター２１と２次電池１７との電気的な接続を遮断する電流ヒューズ４６を有する。陽極金具４１、陰極金具４２、モーター金具４３、回路基板４５、および基板金具４４は、第１ケース１１に固定されている。
【００３２】
陽極金具４１は、電動モーター２１に電気的に接続されている。陰極金具４２は、回路基板４５に電気的に接続されている。電源スイッチ１８の接点金具１９は、モーター金具４３および基板金具４４に接続されている。
【００３３】
このように配線部材４０は、２次電池１７の陽極、陽極金具４１、電動モーター２１、モーター金具４３、接点金具１９、基板金具４４、回路基板４５、陰極金具４２、および２次電池１７の陰極の順に電流が流れる電気回路を形成している。
【００３４】
図４を参照して、防塵ゴム１６の構成について説明する。
図４（ａ）に示されるように、防塵ゴム１６は、中央部１６Ａと、中央部１６Ａよりも外側に形成される外周部１６Ｂと、外周部１６Ｂよりも外側に形成される縁部１６Ｃとを有する。また、中央部１６Ａよりも内側の部分に貫通孔１６Ｐを有する。中央部１６Ａは、本体横方向ＺＢおよび本体奥行方向ＺＣの中央部が最も上方ＺＡ１側に突出する形状を有する。外周部１６Ｂは、外側に向かうにつれて上方ＺＡ１側に突出する形状を有する。縁部１６Ｃの軸方向ＺＡの大きさは、中央部１６Ａおよび外周部１６Ｂの軸方向ＺＡの大きさよりも大きい。縁部１６Ｃの上方ＺＡ１側の端部は、外周部１６Ｂのうちの縁部１６Ｃと接する部分の上方ＺＡ１側の端部よりも上方ＺＡ１側に位置する。なお、中央部１６Ａは「先端側凸部」に相当する。
【００３５】
防塵ゴム１６と他の部材との関係について説明する。
縁部１６Ｃは、第２ケース１２の溝部１２Ａに嵌め込まれる。第３リンク３３のリンク軸３３Ｂは、貫通孔１６Ｐに挿入される。中央部１６Ａの内側の端部は、第３リンク３３の突出リング３３Ｃおよび支持凸部３３Ｄの間に嵌め込まれる。すなわち、防塵ゴム１６は、第２ケース１２および第３リンク３３に固定される。
【００３６】
図５を参照して、ヘッド部５０の詳細な構成について説明する。
ヘッド部５０は、ヘッドケース５０Ａの他に、図３の変換機構３０の第３リンク３３と接続する中継部材５４と、中継部材５４と接続するヘッドリンク５３とを有する。またこの他に、刃ブロック６０を挿入するための刃ブロック挿入穴５０Ｘと、ヘッドケース５０Ａから刃ブロック６０を取り外すための解除ボタン５５とを有する。
【００３７】
刃ブロック挿入穴５０Ｘおよび解除ボタン５５は、ヘッド部５０の正面に位置する。解除ボタン５５は、軸方向ＺＡにおいて刃ブロック挿入穴５０Ｘの下方ＺＡ２側の端部の近傍に位置する。解除ボタン５５は、装置本体１０の軸方向ＺＡにおいてスライド可能な状態で支持される。
【００３８】
ヘッドケース５０Ａは、２つのケースすなわち、第１ケース５１および第２ケース５２を有する。第１ケース５１は、第１ケース１１に挿入される挿入部分５１Ａと、ヘッドリンク５３の移動を案内するリンク案内部分５１Ｂと、中継部材５４の移動を案内する中継案内部分５１Ｃとを有する。また、第１ケース５１は、刃ブロック挿入部分５１Ｘと、刃ブロック挿入部分５１Ｘと隣り合う部分に形成される凹部５１Ｙ（図１参照）と、刃ブロック６０の取り付け方向を規制するためのリブ５１Ｌとを有する。第２ケース５２は、刃ブロック挿入部分５２Ｘと、刃ブロック挿入部分５２Ｘと隣り合う部分に形成される凹部５２Ｙとを有する。刃ブロック挿入部分５１Ｘおよび刃ブロック挿入部分５２Ｘは、刃ブロック挿入穴５０Ｘを形成する。
【００３９】
図５に示されるように、挿入部分５１Ａは、中継部材５４の移動を軸方向ＺＡにおいて案内する案内溝５１Ｄを有する。中継案内部分５１Ｃは、隙間を介して対向する一対の壁を有する。リンク案内部分５１Ｂは、隙間を介して対向する一対の壁を有する。リンク案内部分５１Ｂの形成位置は、軸方向ＺＡの下方ＺＡ２から上方ＺＡ１に向かうにつれて本体奥行方向ＺＣの前方ＺＣ１から後方ＺＣ２に向けて傾斜している。第２ケース５２は、第１ケース５１のリンク案内部分５１Ｂと対応する位置に、リンク案内部分５１Ｂと同じ形状のリンク案内部分（図示略）を有する。
【００４０】
中継部材５４は、ヘッドリンク５３に接続される接続部分５４Ａと、第３リンク３３の先端部分が案内される案内部分５４Ｂと、図３の第３リンク３３の固定板３３Ａが固定される固定部分５４Ｃと、各案内溝５１Ｄに嵌め合わされる一対の突起５４Ｄとを有する。
【００４１】
ヘッドリンク５３は、中継部材５４の接続部分５４Ａに接続される中継接続部分５３Ａと、刃ブロック６０に接続される刃接続部分５３Ｂと、リンク案内部分５１Ｂ内を移動する一対の突起５３Ｃとを有する。
【００４２】
中継接続部分５３Ａは、中継部材５４に対する回転が可能な状態で接続部分５４Ａに接続されている。刃接続部分５３Ｂは、刃ブロック６０に対する回転が不能な状態で刃ブロック６０に接続されている。
【００４３】
図６を参照して、刃ブロック６０の詳細な構成について説明する。
ここで、刃ブロック６０についての各方向を以下のように定義する。
（Ａ）固定刃９０に対する可動刃１００の移動方向を縦方向ＷＡとする。
（Ｂ）平面視において縦方向ＷＡと直交する方向を横方向ＷＢとする。
（Ｃ）縦方向ＷＡおよび横方向ＷＢに直交する方向を奥行方向ＷＣとする。
（Ｄ）縦方向ＷＡの本体ケース側から先端側に向かう方向を押方ＷＡ１とする。
（Ｅ）縦方向ＷＡの先端側から本体ケース側に向かう方向を引方ＷＡ２とする。
（Ｆ）奥行方向ＷＣの可動刃保持部の連結部から剃面に向かう方向を表方ＷＣ１とする。
（Ｇ）奥行方向ＷＣの剃面から可動刃保持部の連結部に向かう方向を裏方ＷＣ２とする。
【００４４】
刃ブロック６０の平面視において、縦方向ＷＡは軸方向ＺＡに一致する。なお、図２に示されるように、ヘッド部５０の前方ＺＣ１側の外面の延長線かつ固定刃９０の剃面９０Ａの延長線Ｅ２は、装置本体１０の前方ＺＣ１側の外面の延長線Ｅ１に対して、角度Ｘで傾斜する。すなわち、軸方向ＺＡおよび本体奥行方向ＺＣの平面上において、縦方向ＷＡは軸方向ＺＡに対して所定の傾斜角を有する。角度Ｘとしては、例えば１０度が設定される。
【００４５】
刃ブロック６０は、体毛を固定刃保持部７０の内部の空間に案内する固定刃９０と、固定刃９０に対して往復直線運動する可動刃１００とを有する。またこの他に、固定刃９０を裏方ＷＣ２から支持する固定刃保持部７０と、可動刃１００を裏方ＷＣ２から支持する可動刃保持部８０と、可動刃保持部８０を介して可動刃１００を固定刃９０に押し付ける２つのばね６１とを有する。
【００４６】
固定刃９０および固定刃保持部７０は、固定刃保持部７０の外面に形成される４つの固定刃固定部７４Ａが溶融されることにより互いに固定される。また、可動刃１００および可動刃保持部８０は、可動刃保持部８０の外面に形成される４つの可動刃固定部８５が溶融されることにより互いに固定される。なお、図６は、各固定刃固定部７４Ａおよび各可動刃固定部８５が溶融される前の状態を示している。
【００４７】
可動刃１００および可動刃保持部８０の組は、固定刃９０および固定刃保持部７０の組に対して縦方向ＷＡに移動することができる。ばね６１は、可動刃１００および可動刃保持部８０の組が固定刃９０および固定刃保持部７０に対して移動するとき、ばね６１の各端部が固定刃保持部７０および可動刃保持部８０に固定された状態を維持しながら縦方向ＷＡに変形する。
【００４８】
図７を参照して、固定刃９０の詳細な構成について説明する。
固定刃９０は、金属板をＵ字状に折り曲げて形成される。固定刃９０の横方向ＷＢの大きさは、可動刃１００（図６参照）横方向ＷＢの大きさよりも大きい。
【００４９】
固定刃９０は、横方向ＷＢに延びて平坦な剃面９０Ａを形成する頂部９１と、頂部９１の横方向ＷＢの一方の端部および他方の端部のそれぞれから裏方ＷＣ２に向かけて延びる２つの固定刃側壁９２とを有する。またこの他に、固定刃９０は、頂部９１から各固定刃側壁９２にわたり形成される複数のスリット９３を有する。各スリット９３は、横方向ＷＢに平行に延び、その両端が閉じ、一端から他端まで連続した形状を有する。隣り合うスリット９３の間には刃部９４が形成される。頂部９１は、縦方向ＷＡにおいて両端のスリット９３よりも外側に支持桟部９１Ａを有する。支持桟部９１Ａの縦方向ＷＡの幅は、刃部９４の縦方向ＷＡの幅よりも大きい。支持桟部９１Ａおよび刃部９４は、固定刃側壁９２により両端が支持される。固定刃９０の固定刃側壁９２は、頂部９１に対して垂直に刃部９４および支持桟部９１Ａを支持する。
【００５０】
図７（ａ）に示されるように、固定刃側壁９２は、固定刃側壁９２の押方ＷＡ１側の端部および引方ＷＡ２側の端部に形成される２つの足部９５と、固定刃側壁９２の縦方向ＷＡの中間部に形成される第１位置決め部９８とを有する。各足部９５は、固定刃側壁９２のうちの最も裏方ＷＣ２に突出した部分に相当する。各足部９５は、裏方ＷＣ２側が開放された貫通孔として形成される固定部９６と、固定部９６に連続して形成されるフック引掛部９７とを有する。なお、固定刃９０は、横方向ＷＢにおいて図７（ａ）に示す固定刃側壁９２と反対側の固定刃側壁９２においても、上記に詳述した固定刃側壁９２の構造と同様の構造を有する。
【００５１】
図７（ｂ）に示されるように、頂部９１の各刃部９４は、刃部９４の横方向ＷＢの両端部を形成する２つの刃端部９４Ｂと、刃端部９４Ｂの一方および刃端部９４Ｂの他方の間に位置する刃中間部９４Ａとを有する。頂部９１のスリット９３は、横方向ＷＢの両端部を形成する２つのスリット端部９３Ｂと、スリット端部９３Ｂの一方およびスリット端部９３Ｂの他方の間に位置するスリット中間部９３Ａとを有する。
【００５２】
図７（ｃ）に示されるように、刃中間部９４Ａの刃部９４の厚さは、各刃端部９４Ｂの厚さよりも小さい。固定刃側壁９２は、頂部９１と連続する円弧部９２Ａと、円弧部９２Ａと連続しかつ奥行方向ＷＣに延びる直線壁部９２Ｂとを有する。円弧部９２Ａは、固定刃側壁９２および頂部９１にわたり形成される。図６に示されるように、支持桟部９１Ａのうちの刃中間部９４Ａと対応する薄肉部９１Ｂの厚さは、刃中間部９４Ａの厚さと等しい。また、支持桟部９１Ａのうちの刃端部９４Ｂと対応する厚肉部９１Ｃの厚さは、刃端部９４Ｂの厚さと等しい。
【００５３】
図７（ｄ）に示されるように、刃端部９４Ｂは、刃部９４の縦方向ＷＡにおける大きさ（以下、「刃幅」）が横方向ＷＢの外側に向かうにつれて次第に小さくなる傾斜部９４Ｃと、刃幅が最も小さい直線部９４Ｄとを有する。刃中間部９４Ａは直線形状を有する。また、刃中間部９４Ａの刃幅（以下、「中間刃幅ＢＡ」）は、全体にわたり一定である。また、直線部９４Ｄの刃幅（以下、「端部刃幅ＢＤ」）は一定である。
【００５４】
中間刃幅ＢＡは、刃中間部９４Ａと対応するスリット中間部９３Ａの縦方向ＷＡにおける大きさ（以下、「中間スリット幅ＳＡ」）よりも大きい。端部刃幅ＢＤは、直線部９４Ｄと対応するスリット９３端部の縦方向ＷＡにおける大きさ（以下、「端部スリット幅ＳＤ」）よりも小さい。端部スリット幅ＳＤは、中間スリット幅ＳＡよりも大きい。
【００５５】
図８を参照して、固定刃保持部７０の詳細な構成について説明する。なお、図８は、各固定刃固定部７４Ａが溶融される前の状態を示している。
固定刃保持部７０は、固定刃９０（図６参照）が嵌め込まれる枠体７１と、各ばね６１（図６参照）を固定する固定部分７３とを有する。枠体７１および固定部分７３は、同一の樹脂材料により一体の部品として形成されている。
【００５６】
図８（ａ）に示されるように、枠体７１は、枠体７１の横方向ＷＢの両端部のそれぞれにおいて表方ＷＣ１に突出する突出部７１Ｂと、枠体７１の横方向ＷＢの両端部のそれぞれにおいて毛を各スリット９３に誘導するための誘導部７２とを有する。またこの他に、図８（ｂ）に示されるように、固定刃９０を嵌め込むための固定刃挿入孔７１Ａを有する。
【００５７】
各突出部７１Ｂは、横方向ＷＢにおいて固定刃挿入孔７１Ａとは反対側の端部に平面部７１Ｃを有する。図８（ｄ）に示されるように、枠体７１の突出部７１Ｂを除く横方向ＷＢの両端部は、表方ＷＣ１側の端面が内側から外側に向かうにつれて表方ＷＣ１から裏方ＷＣ２に向けて傾斜している。
【００５８】
図８（ｂ）に示されるように、誘導部７２は、縦方向ＷＡにおいて所定間隔毎に表方ＷＣ１に突出する複数のコーム７２Ａと、基端部としての枠体７１とにより構成される。
図８（ａ）に示されるように、固定部分７３は、縦方向ＷＡの両端部に形成される２つの壁部７４と、各壁部７４と連続しかつ固定刃保持部７０の裏方ＷＣ２側の端部に形成される２つの足部７５とを有する。図８（ｂ）に示されるように、固定部分７３は、固定部分７３の内部において縦方向ＷＡの内側に突出し、固定刃９０を裏方ＷＣ２側から支持する２つの裏方支持部７３Ａを有する。各裏方支持部７３Ａは、横方向ＷＢの両端部に形成される２つの厚肉対向部７３Ｂと、各厚肉対向部７３Ｂの間に形成される薄肉対向部７３Ｃとを有する。図８（ｅ）に示されるように、薄肉対向部７３Ｃは、厚肉対向部７３Ｂよりも裏方ＷＣ２側に凹む。
【００５９】
図８（ａ）に示されるように、各壁部７４は、横方向ＷＢの端面かつ縦方向ＷＡの両端部付近に形成される２つの固定刃固定部７４Ａと、固定刃固定部７４Ａと隣り合う位置に形成されるフック７４Ｂと、横方向ＷＢの端面かつ縦方向ＷＡにおいて中央部に形成される第２位置決め部７４Ｃとを有する。固定刃固定部７４Ａおよびフック７４Ｂは、横方向ＷＢにおいて外側に向けて突出している。固定刃固定部７４Ａおよびフック７４Ｂは連続して形成されている。また、裏方ＷＣ２側の端部に横方向ＷＢの外側に突出する下端対向部７４Ｄを有する。なお、固定刃保持部７０は、図８（ａ）に示す壁部７４の横方向ＷＢの端面と、横方向ＷＢにおいて反対側の壁部７４の端面においても、上記詳述した壁部７４の構造と左右対称の構造を有する。
【００６０】
各足部７５は、各ばね６１（図６参照）の一方を固定するばね固定部７５Ａを有する。図８（ｄ）に示されるように、押方ＷＡ１側の足部７５は、刃ブロック６０をヘッド部５０に対して正規の方向で取り付けるための溝７５Ｂを有する。図８（ｃ）に示されるように、引方ＷＡ２側の足部７５は、溝７５Ｂを有していない。溝７５Ｂは、ヘッド部５０のリブ５１Ｌ（図５参照）と対応する。
【００６１】
図８（ａ）に示されるように、押方ＷＡ１側の固定刃固定部７４Ａは、押方ＷＡ１側のばね固定部７５Ａよりも押方ＷＡ１側かつ表方ＷＣ１側に形成される。引方ＷＡ２側の固定刃固定部７４Ａは、引方ＷＡ２側のばね固定部７５Ａよりも引方ＷＡ２側かつ表方ＷＣ１側に形成される。
【００６２】
図８（ｃ）および図８（ｄ）に示されるように、各壁部７４は、固定刃保持部７０の内部の毛を固定刃保持部７０の外部に排出するための第１排出孔７６を有する。各第１排出孔７６は、縦方向ＷＡにおいて壁部７４を貫通する。
【００６３】
図８（ｂ）に示されるように、各足部７５は、固定刃保持部７０の内部の毛を固定刃保持部７０の外部に排出するための第２排出孔７７を有する。各第２排出孔７７は、奥行方向ＷＣにおいて足部７５を貫通する。各足部７５は、各固定刃固定部７４Ａ（図８（ａ）参照）と対応する部分に、ばね６１（図６参照）が移動するためのばね移動空間７８が形成される。各ばね移動空間７８および各第１排出孔７６は、縦方向ＷＡに沿う連続した１つの孔を形成する。
【００６４】
図９を参照して、可動刃１００の詳細な構成について説明する。
可動刃１００は、金属板をＵ字状に折り曲げて形成される。可動刃１００の横方向ＷＢの大きさは、固定刃９０の横方向ＷＢの大きさよりも小さい。
【００６５】
可動刃１００は、横方向ＷＢに延びて固定刃９０と表方ＷＣ１側の面で接触する頂部１０１と、頂部１０１の横方向ＷＢの端部から裏方ＷＣ２に延びる２つの可動刃側壁１０２とを有する。またこの他に、頂部１０１から各可動刃側壁１０２までにわたり形成される複数のスリット１０３を有する。各スリット１０３は、横方向ＷＢに対して傾斜して延びる。刃部１０４は、隣り合うスリット１０３の間および押方ＷＡ１の端部および引方ＷＡ２の端部に形成される。
【００６６】
図９（ａ）に示されるように、各可動刃側壁１０２は、２つの足部１０５を有する。各足部１０５は、可動刃側壁１０２のうちの最も裏方ＷＣ２に突出した部分に相当する。各足部１０５は、裏方ＷＣ２側が開放される貫通孔の固定部１０６と、固定部１０６と連続して形成されるフック引掛部１０７とを有する。なお、可動刃１００は、図９（ａ）に示す可動刃側壁１０２と横方向ＷＢにおいて反対側の可動刃側壁１０２においても、上記詳述した可動刃側壁１０２の構造と同様の構造を有する。
【００６７】
図９（ｂ）に示されるように、可動刃１００の平面視において各スリット１０３の縦方向ＷＡに一定の大きさを有する。可動刃１００の平面視において刃部１０４はの縦方向ＷＡに一定の大きさを有する。
【００６８】
図１０を参照して、可動刃保持部８０の詳細な構成について説明する。なお、図１０は、各可動刃固定部８５が溶融される前の状態を示している。
可動刃保持部８０は、可動刃１００（図６参照）に嵌め込まれる支持体８１と、ヘッドリンク５３の刃接続部分５３Ｂ（図５参照）に連結される連結部８２と、各ばね６１（図６参照）を固定する２つのばね固定部８３と、可動刃１００（図６参照）を固定する足部８４とを有する。またこの他に、固定刃９０（図６参照）の内側に接触する移動規制部８７を有する。なお、可動刃保持部８０は、同一の樹脂材料により一体の部品として形成されている。
【００６９】
図１０（ｂ）に示されるように、連結部８２は、縦方向ＷＡにおいて可動刃保持部８０の中央部に形成される。図１０（ｃ）に示されるように、連結部８２は、ヘッドリンク５３の刃接続部分５３Ｂ（図５参照）を嵌め込むための切欠きとして形成される。
【００７０】
図１０（ａ）に示されるように、各足部８４は、横方向ＷＢの端面に形成される可動刃固定部８５と、可動刃固定部８５と隣り合う位置に形成されるフック８６とを有する。可動刃固定部８５およびフック８６は連続して形成されている。図１０（ｂ）に示されるように、各可動刃固定部８５、各フック８６、および各移動規制部８７は、横方向ＷＢにおいて外側に向かけて突出している。なお、可動刃保持部８０は、図１０（ａ）に示す横方向ＷＢの端面と横方向ＷＢにおいて反対側の端面においても、上記に詳述した足部８４の構造と同様の構造を有する。
【００７１】
図１１を参照して、固定刃９０と固定刃保持部７０との接続関係について説明する。なお、図１１（ａ）は、各固定刃固定部７４Ａが溶融される前の状態を示している。
図１１（ａ）に示されるように、縦方向ＷＡにおける固定刃９０の大きさは、縦方向ＷＡにおける固定刃保持部７０の大きさよりも小さい。固定刃９０および固定刃保持部７０は、それぞれの縦方向ＷＡにおける中央部が互いに合わせられた状態で固定される。
【００７２】
固定刃９０は、各第１位置決め部９８に各第２位置決め部７４Ｃが嵌めこまれた状態で固定刃保持部７０の固定刃挿入孔７１Ａに挿入されている。各固定刃固定部７４Ａは、各固定部９６に挿入されている。各フック７４Ｂは、各フック引掛部９７に挿入されている。各刃部９４は、誘導部７２の各コーム７２Ａと対応した位置に配置されている。各コーム７２Ａのピッチは、スリット９３のピッチと等しい。各スリット９３は、コーム７２Ａ間に位置している。
【００７３】
溶融前の各固定刃固定部７４Ａと各固定部９６とのクリアランスは、第１位置決め部９８と第２位置決め部７４Ｃとのクリアランスより大きい。また、フック７４Ｂとフック引掛部９７とのクリアランスは、第１位置決め部９８と第２位置決め部７４Ｃとのクリアランスより大きい。これにより、固定刃９０と固定刃保持部７０との縦方向ＷＡの相対位置は、第１位置決め部９８および第２位置決め部７４Ｃにより位置決めされる。
【００７４】
固定刃９０の各足部９５の裏方ＷＣ２の端面は、各固定刃保持部７０の対向部７４Ｄの表方ＷＣ１の端面とクリアランスを介して対向する。図１１（ｃ）に示されるように、支持桟部９１Ａの厚肉部９１Ｃの裏方ＷＣ２の面は、その一部が裏方支持部７３Ａと接触する。具体的には、図１１（ｄ）に示されるように、支持桟部９１Ａの厚肉部９１Ｃの裏方ＷＣ２の面は、裏方支持部７３Ａのうちの厚肉対向部７３Ｂに接触する。支持桟部９１Ａの薄肉部９１Ｂの裏方ＷＣ２の面は、裏方支持部７３Ａのうちの薄肉対向部７３Ｃとクリアランスを介して対向する。これにより、固定刃９０と固定刃保持部７０との奥行方向ＷＣの相対位置は、厚肉部９１Ｃおよび厚肉対向部７３Ｂにより位置決めされる。
【００７５】
図１１（ｂ）に示されるように、固定刃固定部７４Ａは、図１１（ａ）の状態が設定された後に溶融される。これにより、固定刃９０と固定刃保持部７０とが互いに固定される。フック７４Ｂは、固定刃固定部７４Ａの移動を制限する。
【００７６】
図１２を参照して、可動刃１００と可動刃保持部８０との接続関係について説明する。なお、図１２（ａ）は、各可動刃固定部８５が溶融される前の状態を示している。
図１２（ａ）に示されるように、縦方向ＷＡにおける可動刃１００の大きさは、縦方向ＷＡにおける可動刃保持部８０の大きさよりも僅かに小さい。可動刃１００および可動刃保持部８０は、それぞれの縦方向ＷＡにおける中央部が互いに合わせられた状態で固定される。
【００７７】
図１２（ａ）に示されるように、可動刃１００は、支持体８１に嵌め込まれる。各可動刃固定部８５は、各固定部１０６に挿入される。各フック８６は、各フック引掛部１０７に挿入される。
【００７８】
図１２（ｂ）に示されるように、各可動刃固定部８５は、図１２（ａ）の状態を設定した後に溶融される。これにより、可動刃１００と可動刃保持部８０とが互いに固定される。フック８６は、可動刃固定部８５の移動を制限する。
【００７９】
図１１および図１２を参照して、刃ブロック６０の組み付け手順について説明する。
（Ａ１）可動刃保持部８０に可動刃１００を取り付ける（図１２（ａ）参照）。
（Ａ２）各可動刃固定部８５を溶融する（図１２（ｂ）参照）。
（Ａ３）可動刃保持部８０および固定刃保持部７０を各ばね６１により接続する。
（Ａ４）固定刃保持部７０に固定刃９０を取り付ける（図１１（ａ）参照）。
（Ａ５）各固定刃固定部７４Ａを溶融する（図１１（ｂ）参照）。
【００８０】
図１３および図１４を参照して、刃ブロック６０の各部材の関係について説明する。
可動刃１００は、電動モーター２１（図２参照）の回転にともない固定刃９０に対して縦方向ＷＡに移動する。固定刃９０に対する可動刃１００の位置（以下、「刃相対位置」）は、押方ＷＡ１の限界位置である「最大押方位置」から引方ＷＡ２の限界位置である「最大引方位置」までの範囲で変化する。なお、図１３および図１４は、刃相対位置が最大押方位置と、最大引方位置との中立の位置である「中立位置」の状態を示している。
【００８１】
図１３に示されるように、可動刃１００および可動刃保持部８０の組は、固定刃９０および固定刃保持部７０の内部に挿入される。可動刃保持部８０のばね固定部８３は、各ばね６１の表方ＷＣ１の端部に挿入される。
【００８２】
固定刃保持部７０のばね固定部７５Ａは、各ばね６１の裏方ＷＣ２の端部に挿入される。これにより、固定刃保持部７０および可動刃保持部８０は、各ばね６１を介して互いに接続される。
【００８３】
各ばね６１は、圧縮変形した状態で固定刃保持部７０と可動刃保持部８０との間に位置する。各ばね６１の復元力は、可動刃１００を固定刃９０に向けて押す方向に作用する。このため、可動刃１００の表方ＷＣ１側の面は固定刃９０の裏方ＷＣ２側の面に接触している。
【００８４】
図１４（ａ）に示されるように、刃相対位置が中立位置のとき、平面視において固定刃９０の全ての刃部９４は、可動刃１００の刃部１０４の少なくとも一部と重なり合う。また、可動刃１００の横方向ＷＢの一方の端部から他方の端部まで、すなわち頂部１０１が刃中間部９４Ａと重なり合う。
【００８５】
図１４（ｂ）に示されるように、各固定刃側壁９２と各可動刃側壁１０２とは隙間を介して対向する。また、可動刃保持部８０の各移動規制部８７は、固定刃側壁９２の内側の壁面と微小な隙間を介して対向する。固定刃側壁９２の内側の壁面と各移動規制部８７との間の隙間は、各固定刃側壁９２と各可動刃側壁１０２との間の隙間よりも小さい。このため、可動刃１００が横方向ＷＢに移動したとき、可動刃側壁１０２は、移動規制部８７と接触する。
【００８６】
図１４（ａ）に示されるように、各誘導部７２の各コーム７２Ａは、固定刃９０の全ての刃部９４に対応する。図１４（ｃ）に示されるように、コーム７２Ａは、表方ＷＣ１側の端部である先端部７２Ｃと、先端部７２Ｃの角部に形成された曲面部７２Ｂとを有する。各先端部７２Ｃは、刃中間部９４Ａの裏方ＷＣ２側の面よりも裏方ＷＣ２側に配置される。曲面部７２Ｂの径は、固定刃９０の円弧部９２Ａの径より充分小さい。また、図１４（ａ）に示されるように、各突出部７１Ｂは、横方向ＷＢにおいて固定刃９０を介して対向する。
【００８７】
図１５を参照して、ヘッド部５０および刃ブロック６０の関係について説明する。
ヘッド部５０の刃ブロック挿入穴５０Ｘに刃ブロック６０が嵌め込まれているとき、各突出部７１Ｂと対応する位置に第１ケース５１の凹部５１Ｙおよび第２ケース５２の凹部５２Ｙがそれぞれ配置される。これにより、各突出部７１Ｂは、横方向ＷＢにおいて凹部５１Ｙ，５２Ｙよりも外側に突出する。各突出部７１Ｂおよび凹部５１Ｙ，５２Ｙにより、ユーザーが刃ブロック６０をつまむための指当構造を構成する。
【００８８】
刃ブロック６０の枠体７１および固定刃９０の頂部９１は、ヘッド部５０の刃ブロック挿入穴５０Ｘに刃ブロック６０が嵌め込まれているとき、刃ブロック挿入穴５０Ｘから突出する。
【００８９】
図１６を参照して、電気かみそり１の各構成部品の関係について説明する。なお、図１６（ｂ）は、固定刃９０および固定刃保持部７０を省略している。
（Ａ）ローラー２５は、第１リンク３１の入力部分３１Ｄに接続されている。
（Ｂ）第１リンク３１の第２アーム３１Ｂは、第２リンク３２に接続されている。
（Ｃ）第２リンク３２の出力側端部は、第３リンク３３に接続されている。
（Ｄ）第３リンク３３の固定板３３Ａは、中継部材５４に接続されている。
（Ｅ）中継部材５４の接続部分５４Ａは、ヘッドリンク５３に接続されている。
（Ｆ）ヘッドリンク５３の刃接続部分５３Ｂは、連結部８２に接続されている。
（Ｇ）刃接続部分５３Ｂは、装置本体１０の中心線Ｃ１上に配置される。
（Ｈ）刃接続部分５３Ｂは、電動モーター２１の回転中心線Ｃ２上に配置される。
（Ｉ）装置本体１０の中心線Ｃ１および電動モーター２１の回転中心線Ｃ２は一致する。
【００９０】
図１６（ａ）に示されるように、電気かみそり１は、上記の接続関係を有することにより、電動モーター２１の出力軸２２の回転を変換機構３０により往復直線運動に変換した後、変換機構３０の往復直線運動を中継部材５４およびヘッドリンク５３を介して刃ブロック６０に伝達する。
【００９１】
図１６（ｂ）に示されるように、ヘッドリンク５３は、軸方向ＺＡに沿う第１部分５３Ｘと、第１部分５３Ｘの上方ＺＡ１の端部から前方ＺＣ１および表方ＷＣ１に向かい、かつ刃接続部分５３Ｂおよび突起５３Ｃを含む第２部分５３Ｙと、第１部分５３Ｘの下方ＺＡ２の端部から前方ＺＣ１および表方ＷＣ１に向かう第３部分５３Ｚとを有する。中継接続部分５３Ａに接続される中継部材５４は、軸方向ＺＡに沿う形状をしている。
【００９２】
刃接続部分５３Ｂは、可動刃保持部８０の連結部８２に嵌め込まれる。刃接続部分５３Ｂの縦方向ＷＡの両端面は、連結部８２と接触する。刃接続部分５３Ｂの表方ＷＣ１側の端面は、連結部８２と隙間を介して対向する。
【００９３】
図１７および図１８を参照して、電気かみそり１の動作について説明する。なお、図１７および図１８は、刃ブロック６０の構成、および刃ブロック６０に関連する第１ケース５１の内面の構成を簡略化したヘッド部５０の断面構造を示している。
【００９４】
図１７（ａ）は、刃相対位置が最大押方位置のときのヘッド部５０の動作状態を示している。図１７（ｂ）は、この動作状態に対応するローラー２５および第１リンク３１の動作状態を示している。
【００９５】
図１８（ａ）は、刃相対位置が最大引方位置のときのヘッド部５０の動作状態を示している。図１８（ｂ）は、この動作状態に対応するローラー２５および第１リンク３１の動作状態を示している。
【００９６】
図１７（ｃ）および図１８（ｃ）は、刃相対位置が中立位置のときのヘッド部５０の動作状態を示している。図１７（ｄ）および図１８（ｄ）は、この動作状態に対応するローラー２５および第１リンク３１の動作状態を示している。
【００９７】
変換機構３０およびヘッド部５０の詳細な動作について説明する。以下では、軸方向ＺＡおよび本体奥行方向ＺＣの平面における所定軸まわりの回転方向Ｌについて、時計回りの回転方向を「正転方向Ｌ１」とし、反時計回りの回転方向を「反転方向Ｌ２」とする。
【００９８】
（１）「図１７（ａ）の状態から図１７（ｃ）の状態までの変化」
変換機構３０およびヘッド部５０の各部品は、電動モーター２１の出力軸２２が図１７（ｂ）の回転位置から図１７（ｄ）の回転位置まで回転するとき、図１７（ａ）の状態から図１７（ｃ）の状態まで動作する。このときの各部品の具体的な動作を以下に示す。
【００９９】
ローラー２５は、出力軸２２とともに回転する。これにより、入力部分３１Ｄに対して本体横方向ＺＢに移動する。このため、入力部分３１Ｄは、本体奥行方向ＺＣに作用する力をローラー２５から受け、かつ本体横方向ＺＢに作用する力をローラー２５から受けない。
【０１００】
このため、変換機構３０の各部品の状態は、図１７（ａ）の状態から図１７（ｃ）の状態に変化する。すなわち、入力部分３１Ｄおよび第１アーム３１Ａは、軸方向ＺＡおよび本体奥行方向ＺＣの平面視において、回転軸３１Ｃを支持軸３４まわりで反転方向Ｌ２に回転させる。第２アーム３１Ｂは、軸方向ＺＡおよび本体奥行方向ＺＣの平面視において、回転軸３１Ｃの回転にともない支持軸３４まわりで反転方向Ｌ２に回転する。
【０１０１】
第２リンク３２の入力端部３２Ａは、第２アーム３１Ｂの回転にともない第２アーム３１Ｂに対して回転しながら第２アーム３１Ｂにより下方ＺＡ２に引き寄せられる。このため、第２リンク３２は、全体として第２アーム３１Ｂにより回転軸３１Ｃ側に引き寄せられる。すなわち、本体ケース１０Ａに対して下方ＺＡ２に移動する。
【０１０２】
第３リンク３３は、第２リンク３２の下方ＺＡ２への移動にともない本体ケース１０Ａに対して下方ＺＡ２に移動する。すなわち、軸方向ＺＡにおいてヘッド部５０から離れる方向に移動する。
【０１０３】
中継部材５４は、第３リンク３３の下方ＺＡ２への移動にともないヘッドケース５０Ａに対して下方ＺＡ２に移動する。すなわち、軸方向ＺＡにおいてヘッド部５０側から装置本体１０側に移動する。
【０１０４】
ヘッドリンク５３は、中継部材５４の下方ＺＡ２への移動にともない中継部材５４により装置本体１０側に引き寄せられる。このとき、図５のヘッドリンク５３の突起５３Ｃは、リンク案内部分５１Ｂとの接触により縦方向ＷＡの引方ＷＡ２に移動する。このため、ヘッドリンク５３の刃接続部分５３Ｂも引方ＷＡ２に移動する。
【０１０５】
防塵ゴム１６は、第３リンク３３の下方ＺＡ２への移動にともない中央部１６Ａが本体ケース１０Ａに対して下方ＺＡ２に移動する。すなわち、中央部１６Ａの上方ＺＡ１側への突出量が小さくなる。
【０１０６】
可動刃１００は、刃接続部分５３Ｂの引方ＷＡ２への移動にともないヘッドケース５０Ａおよび固定刃９０に対して引方ＷＡ２に移動する。すなわち、電動モーター２１が図１７（ｂ）の回転位置から図１７（ｄ）の回転位置まで回転するとき、刃相対位置が図１７（ａ）の位置から図１７（ｃ）の位置まで変化する。
【０１０７】
（２）「図１７（ｃ）の状態から図１８（ａ）の状態までの変化」
変換機構３０およびヘッド部５０の各部品は、電動モーター２１の出力軸２２が図１７（ｄ）の回転位置から図１８（ｂ）の回転位置まで回転するとき、図１７（ｃ）の状態から図１８（ａ）の状態まで動作する。このときの各部品は、図１７（ａ）の状態から図１７（ｃ）の状態まで動作するときと同様に動作する。
【０１０８】
防塵ゴム１６は、第３リンク３３の下方ＺＡ２への移動にともない中央部１６Ａが本体ケース１０Ａに対してさらに下方ＺＡ２に移動する。これにより、中央部１６Ａは、下方ＺＡ２に突出する。
【０１０９】
可動刃１００は、刃接続部分５３Ｂの引方ＷＡ２への移動にともないヘッドケース５０Ａおよび固定刃９０に対して引方ＷＡ２に移動する。すなわち、刃相対位置が図１７（ｃ）の位置から図１８（ａ）の最大引方位置まで変化する。
【０１１０】
（３）「図１８（ａ）の状態から図１８（ｃ）の状態までの変化」
変換機構３０およびヘッド部５０の各部品は、電動モーター２１の出力軸２２が図１８（ｂ）の回転位置から図１８（ｄ）の回転位置まで回転するとき、図１８（ａ）の状態から図１８（ｃ）の状態まで動作する。このときの各部品の具体的な動作を以下に示す。
【０１１１】
ローラー２５は、出力軸２２とともに回転することにより、入力部分３１Ｄに対して本体横方向ＺＢに移動する。このため、変換機構３０の各部品の状態は、図１８（ａ）の状態から図１８（ｃ）の状態に変化する。すなわち、入力部分３１Ｄおよび第１アーム３１Ａは、軸方向ＺＡおよび本体奥行方向ＺＣの平面視において、回転軸３１Ｃを支持軸３４まわりで正転方向Ｌ１に回転させる。第２アーム３１Ｂは、軸方向ＺＡおよび本体奥行方向ＺＣの平面視において、回転軸３１Ｃの回転にともない支持軸３４まわりで正転方向Ｌ１に回転する。
【０１１２】
第２リンク３２の入力端部３２Ａは、第２アーム３１Ｂの回転にともない第２アーム３１Ｂに対して回転しながら第２アーム３１Ｂにより上方ＺＡ１に押し出される。このため、第２リンク３２は、全体として第２アーム３１Ｂによりヘッド部５０側に押し出される。すなわち、本体ケース１０Ａに対して上方ＺＡ１に移動する。
【０１１３】
第３リンク３３は、第２リンク３２の上方ＺＡ１への移動にともない本体ケース１０Ａに対して上方ＺＡ１に移動する。すなわち、軸方向ＺＡにおいてヘッド部５０に近づく方向に移動する。
【０１１４】
中継部材５４は、第３リンク３３の上方ＺＡ１への移動にともないヘッドケース５０Ａに対して上方ＺＡ１に移動する。すなわち、軸方向ＺＡにおいて装置本体１０側からヘッド部５０側に移動する。
【０１１５】
ヘッドリンク５３は、中継部材５４の上方ＺＡ１への移動にともない中継部材５４によりヘッド部５０側に押し出される。このとき、図５のヘッドリンク５３の突起５３Ｃは、リンク案内部分５１Ｂとの接触により縦方向ＷＡの押方ＷＡ１に移動する。このため、ヘッドリンク５３の刃接続部分５３Ｂも押方ＷＡ１に移動する。
【０１１６】
防塵ゴム１６は、第３リンク３３の上方ＺＡ１への移動にともない中央部１６Ａが本体ケース１０Ａに対して上方ＺＡ１に移動する。これにより、中央部１６Ａは上方ＺＡ１側に突出する。
【０１１７】
可動刃１００は、刃接続部分５３Ｂの押方ＷＡ１への移動にともないヘッドケース５０Ａおよび固定刃９０に対して押方ＷＡ１に移動する。すなわち、電動モーター２１が図１８（ｂ）の回転位置から図１８（ｄ）の回転位置まで回転するとき、刃相対位置が図１８（ａ）の位置から図１８（ｃ）の位置まで変化する。
【０１１８】
（４）「図１８（ｃ）の状態から図１７（ａ）の状態までの変化」
変換機構３０およびヘッド部５０の各部品は、電動モーター２１の出力軸２２が図１８（ｄ）の回転位置から図１７（ｂ）の回転位置まで回転するとき、図１８（ｃ）の状態から図１７（ａ）の状態まで動作する。このときの各部品は、図１８（ａ）の状態から図１８（ｃ）の状態まで動作するときと同様に動作する。
【０１１９】
防塵ゴム１６は、第３リンク３３の下方ＺＡ２への移動にともない中央部１６Ａが本体ケース１０Ａに対して上方ＺＡ１に移動する。すなわち、中央部１６Ａの上方ＺＡ１側への突出量が大きくなる。
【０１２０】
可動刃１００は、刃接続部分５３Ｂの押方ＷＡ１への移動にともないヘッドケース５０Ａおよび固定刃９０に対して押方ＷＡ１に移動する。すなわち、刃相対位置が図１８（ｃ）の位置から図１７（ａ）の最大押方位置まで変化する。
【０１２１】
図１９を参照して、刃相対位置の変化にともなうばね６１および固定刃保持部７０の関係の変化について説明する。なお、図１９は、刃ブロック６０から固定刃９０および可動刃１００が省略された状態を示している。
【０１２２】
各ばね６１は、固定刃保持部７０の各ばね移動空間７８の内部を移動する。
刃相対位置が最大押方位置のとき、押方ＷＡ１側のばね６１の表方ＷＣ１側の端部、すなわち可動刃保持部８０のばね固定部８３は、押方ＷＡ１側の固定刃固定部７４Ａよりも押方ＷＡ１側に位置する。このとき、正面視において押方ＷＡ１側のばね６１の中間部分は、押方ＷＡ１側の固定刃固定部７４Ａと重なる。また、引方ＷＡ２側のばね６１の表方ＷＣ１の端部は、ばね移動空間７８の外部に出る。このとき、可動刃保持部８０うちの押方ＷＡ１側の足部８４の裏方ＷＣ２側の下端部分がばね移動空間７８に入り込む。また、可動刃保持部８０の支持体８１の押方ＷＡ１側の端部が押方ＷＡ１側の裏方支持部７３Ａに近付く。刃相対位置が最大押方位置のとき、支持体８１の押方ＷＡ１側の端部と押方ＷＡ１側の裏方支持部７３Ａとの間に微小な隙間が形成される。
【０１２３】
刃相対位置が最大引方位置のとき、引方ＷＡ２側のばね６１の表方ＷＣ１側の端部、すなわち可動刃保持部８０のばね固定部８３は、引方ＷＡ２側の固定刃固定部７４Ａよりも引方ＷＡ２側に位置する。このとき、正面視において引方ＷＡ２側のばね６１の中間部分は、引方ＷＡ２側の固定刃固定部７４Ａと重なる。また、押方ＷＡ１側のばね６１の表方ＷＣ１の端部は、ばね移動空間７８の外部に出る。このとき、可動刃保持部８０うちの引方ＷＡ２側の足部８４の裏方ＷＣ２側の下端部分がばね移動空間７８に入り込む。また、可動刃保持部８０の支持体８１の引方ＷＡ２側の端部が引方ＷＡ２側の裏方支持部７３Ａに近付く。なお、刃相対位置が最大引方位置のとき、支持体８１の引方ＷＡ２側の端部と引方ＷＡ２側の裏方支持部７３Ａとの間に微小な隙間が形成される。
【０１２４】
刃ブロック６０は、刃ブロック挿入穴５０Ｘから取り出されることにより、水洗い等により清掃することができる。また、刃ブロック挿入穴５０Ｘ内も清掃することができる。このため、刃ブロック６０および刃ブロック挿入穴５０Ｘを清掃する場合には、刃ブロック６０を取り外す。
【０１２５】
図１５を参照して、ユーザーによる刃ブロック６０の取り外し手順について説明する。
（Ｘ１）解除ボタン５５を下方ＺＡ２に押し下げる。このとき、解除ボタン５５の先端部が刃ブロック６０の第１排出孔７６から外れる。このため、刃ブロック６０を刃ブロック挿入穴５０Ｘから取り出しすることができる。
（Ｘ２）一方の突出部７１Ｂの平面部７１Ｃに親指の腹を当てる。
（Ｘ３）他方の突出部７１Ｂの平面部７１Ｃに人差し指の腹を当てる。
（Ｘ４）刃ブロック６０を表方ＷＣ１に摘み上げる。
【０１２６】
ユーザーによる刃ブロック６０の取り付け手順について説明する。なお、以下では、ヘッド部５０の下方ＺＡ２側の端部と、刃ブロック６０の突出部７１Ｂを有する端部とが対応する関係を「正規の方向」とする。
（Ｙ１）刃ブロック６０を正規の方向に配置する。
（Ｙ２）刃ブロック６０を挿入穴５０Ｘに挿入する。枠体７１を刃ブロック挿入穴５０Ｘの縁に当てる。また、リブ５１Ｌを溝７５Ｂに嵌め込む。
（Ｙ３）解除ボタン５５を上方ＺＡ１に押し上げる。解除ボタン５５の先端部が刃ブロック６０の第１排出孔７６に嵌め込まれる。これにより、刃ブロック６０が刃ブロック挿入穴５０Ｘに保持される。
【０１２７】
図２０を参照して、ヘッド部５０の組付手順について説明する。
ユーザーは、以下の手順でヘッド部５０を装置本体１０に組み付ける。
図２０（ａ）に示されるように、ユーザーは、ヘッド部５０の挿入部分５１Ａと装置本体１０の開口部分とが互いに対向する位置に各部品を配置する。また、ヘッド部５０の回転中心軸と装置本体１０の回転中心軸とを一致させる。
【０１２８】
図２０（ｂ）に示されるように、ユーザーは、ヘッド部５０の挿入部分５１Ａを装置本体１０に挿入する。次に、ヘッド部５０を装置本体１０に対して規定の方向に回転させる。これにより、ヘッド部５０が装置本体１０に固定される。
【０１２９】
図２１〜図２５を参照して、装置本体１０に対するヘッド部５０の取り付け時における第３リンク３３と中継部材５４との関係について説明する。なお、図２１〜図２５は、ヘッド部５０が装置本体１０に取り付けられた状態における第３リンク３３とヘッド部５０との関係を示している。また、装置本体１０については、第３リンク３３以外の部品を省略している。また、ヘッド部５０については、第２ケース５２を省略している。
【０１３０】
（Ａ）図２１（ａ）に示されるように、中継部材５４は、挿入部分５１Ａが装置本体１０に挿入されたとき、案内部分５４Ｂに第３リンク３３の固定板３３Ａが挿入される。図２１（ｂ）に示されるように、案内部分５４Ｂの内面は、固定板３３Ａの側面と隙間を介して対向する。
【０１３１】
（Ｂ）図２２（ｂ）に示されるように、ヘッド部５０は、装置本体１０に対して図２１の回転位置から回転する。図２２（ａ）に示されるように、中継部材５４は、ヘッドケース５０Ａの回転にともない案内部分５４Ｂに固定板３３Ａが押し付けられることにより、第３リンク３３に対して回転しながら第３リンク３３に対して下方ＺＡ２に移動する。
【０１３２】
（Ｃ）図２３（ｂ）に示されるように、ヘッド部５０は、装置本体１０に対して図２２の回転位置からさらに回転する。図２３（ａ）に示されるように、中継部材５４は、ヘッドケース５０Ａの回転にともない案内部分５４Ｂに固定板３３Ａがさらに押し付けられることにより、引き続き第３リンク３３に対して回転しながら第３リンク３３に対して下方ＺＡ２に移動する。
【０１３３】
（Ｄ）図２４（ｂ）に示されるように、ヘッド部５０は、装置本体１０に対して図２３の回転位置からさらに回転する。図２４（ａ）に示されるように、中継部材５４は、ヘッドケース５０Ａの回転にともない案内部分５４Ｂが固定板３３Ａにさらに押し付けられることにより、引き続き第３リンク３３に対して回転しながら第３リンク３３に対して下方ＺＡ２に移動する。このとき、下方ＺＡ２の移動にともない固定部分５４Ｃの底面は、固定板３３Ａに突き当てられる。また、図２４（ｂ）に示されるように、固定部分５４Ｃの一部は、軸方向ＺＡにおいて固定板３３Ａと重なり合う。
【０１３４】
（Ｅ）図２５（ｂ）に示されるように、ヘッド部５０は、装置本体１０に対して図２４の回転位置からさらに回転する。図２５（ａ）に示されるように、中継部材５４は、ヘッドケース５０Ａの回転にともない固定部分５４Ｃの底面が固定板３３Ａに押し付けられた状態において、引き続き第３リンク３３に対して回転する。このとき、図２５（ｂ）に示されるように、中継部材５４は、固定部分５４Ｃに固定板３３Ａの両端部の全体が嵌め込まれるまで回転する。そして、第３リンク３３に対する中継部材５４の回転位置が図２５（ｂ）に示される回転位置に達したとき、装置本体１０に対するヘッド部５０の組み付け作業が完了する。
【０１３５】
図２を参照して、ユーザーによる髭剃りの手順について説明する。
（Ｚ１）第３ケース１３を把持する。
（Ｚ２）電源スイッチ１８を操作して電動モーター２１を駆動する。
（Ｚ３）固定刃９０の剃面９０Ａを肌面にあてがう。
（Ｚ４）固定刃９０（装置本体１０）を本体横方向ＺＢに往復動作させる。これにより、固定刃９０のスリット９３から可動刃１００のスリット１０３に髭が進入し、その髭が固定刃９０と可動刃１００との接触面上で切断されて剃りとられる。
【０１３６】
図２６を参照して、手順（Ｚ４）におけるコーム７２Ａの作用について説明する。
図２６（ａ）に示されるように、固定刃９０の剃面９０Ａを肌面Ｓにあてがうとともに、髭Ｈに向けて移動させる。このとき、図２６（ｂ）に示されるように、肌面Ｓに沿った髭Ｈが、コーム７２Ａで起こされ、コーム７２Ａの外周に沿って移動する。すなわち、髭Ｈは、隣り合うコーム７２Ａの間の空間に取り込まれる。そして、図２６（ｃ）に示されるように、髭Ｈは、固定刃９０のスリット９３内に案内される。
【０１３７】
本実施形態の電気かみそり１は、以下の効果を奏する。
（１）防塵ゴム１６は、上方ＺＡ１に突出する中央部１６Ａを有する。この構成によれば、防塵ゴム１６が中央部１６Ａの突出方向とは反対方向の下方ＺＡ２側に移動するとき、中央部１６Ａが防塵ゴム１６の遊びとして機能する。このため、中央部１６Ａが上方ＺＡ１に突出しない構成と比較して防塵ゴム１６の負荷が小さくなる。また、防塵ゴム１６が第３リンク３３に接触するため、毛屑等が貫通孔１６Ｐと第３リンク３３との間から基端側空間ＲＢに入り込むことが抑制される。
【０１３８】
（２）防塵ゴム１６の中央部１６Ａは、第３リンク３３が往復直線運動するときに大きく変形する。この構成によれば、中央部１６Ａの変形にともない中央部１６Ａ付近の毛屑が動くため、防塵ゴム１６に毛屑が張り付き難い。このため、先端側空間ＲＣから毛屑を容易に除去することができる。
【０１３９】
（３）往復直線運動する伝達機構と、伝達機構に取り付けられる弾性部材とを有する装置の一例として、電動歯ブラシが挙げられる。電動歯ブラシの伝達機構は、電気かみそり１の第３リンク３３よりも往復直線運動の移動量が小さい。このため、電動歯ブラシの弾性部材は、電気かみそり１の防塵ゴム１６と比較して、伝達機構の往復直線運動にともない生じる負荷が小さい。すなわち、電気かみそり１の防塵ゴム１６は、電動歯ブラシの弾性部材と比較して大きな負荷を受ける可能性を有する。一方、防塵ゴム１６は中央部１６Ａを有する。このため、第３リンク３３の往復直線運動にともない防塵ゴム１６に大きな負荷が生じることが抑制される。
【０１４０】
（４）第３リンク３３は、防塵ゴム１６の中央部１６Ａを貫通する。この構成によれば、第３リンク３３が、防塵ゴム１６の中央部１６Ａおよび外周部１６Ｂの間の下方ＺＡ２側に突出した部分を貫通する構成と比較して、貫通孔１６Ｐの付近に毛屑等がたまりにくい。このため、毛屑等が基端側空間ＲＢに入りにくい。
【０１４１】
（５）防塵ゴム１６は、縁部１６Ｃの上方ＺＡ１側の端部が、外周部１６Ｂのうちの縁部１６Ｃと接触する部分の上方ＺＡ１側の端よりも上方ＺＡ１側に位置する。この構成によれば、第２ケース１２の溝部１２Ａに毛屑等がたまりにくい。このため、毛屑等が基端側空間ＲＢに入りにくい。
【０１４２】
（６）防塵ゴム１６は、ゴム材料により形成される。この構成によれば、防塵ゴム１６は、往復直線運動にともない伸びることができる。このため、往復直線運動に対する抵抗が小さい。
【０１４３】
（７）電気かみそり１の装置本体１０は、防塵ゴム１６を有する。この構成によれば、髭屑等が第１ケース１１および第２ケース１２と第３リンク３３との隙間を介して基端側空間ＲＢに侵入することが抑制される。
【０１４４】
（８）防塵ゴム１６は、本体ケース１０Ａの第２ケース１２に取り付けられる。この構成によれば、防塵ゴム１６がヘッド部５０に取り付けられる構成と比較して、先端側空間ＲＣを大きくすることができる。このため、ユーザーが先端側空間ＲＣ内から毛屑等を除去する頻度を減らすことができるため、使い勝手が向上する。
【０１４５】
（９）電気かみそり１は、偏心軸２４および変換機構３０を有する。この構成によれば、フェースギヤを含む構造の変換機構を有する場合と比較して、ギヤを有していないため、変換機構の動作にともないギヤの噛み合い音が生じることがない。このため、フェースギヤを含む構造の仮想の電気かみそりの変換機構よりも駆動音が小さくなる。
【０１４６】
（１０）防塵ゴム１６は、第２ケース１２の内面に形成される溝部１２Ａに嵌め込まれる。この構成によれば、防塵ゴム１６が、第２ケース１２に対してずれにくい。
（１１）装置本体１０の軸方向ＺＡは、固定刃９０の平面視において固定刃９０の縦方向ＷＡと一致する。この構成によれば、装置本体１０の軸方向ＺＡが、固定刃９０の平面視において固定刃９０の縦方向ＷＡと直交する構成と比較して、装置本体１０の本体横方向ＺＢの寸法を小さくすることができる。このため、電気かみそりがコンパクト化される。また、携帯性が向上する。このため、髭剃り用の電気かみそり１を衣類のポケットやペンケース等に収容して携帯するというような、従来にはなかった使い勝手を提供することができる。また、刃ブロック６０を肌面上において横方向ＷＢに往復移動させることにより、髭を効率よく剃ることができる。
【０１４７】
（１２）固定刃保持部７０の裏方支持部７３Ａは、固定刃９０の厚肉部９１Ｃに接触して固定刃９０を裏方ＷＣ２側から支持する。一方、裏方支持部７３Ａは、薄肉部９１Ｂに接触しない。この構成によれば、固定刃９０に表方ＷＣ１から衝撃が加えられたとき、薄肉部９１Ｂが固定刃保持部に接触しにくい。このため、薄肉部９１Ｂの変形を抑制することができる。
【０１４８】
（１３）固定刃保持部７０は、支持桟部９１Ａの４つの厚肉部９１Ｃの全てを支持する。この構成によれば、固定刃９０に表方ＷＣ１から衝撃が加えられたとき、衝撃が４箇所の厚肉部９１Ｃに分散される。このため、厚肉部９１Ｃの変形を抑制することができる。
【０１４９】
（１４）薄肉対向部７３Ｃは、厚肉対向部７３Ｂよりも裏方ＷＣ２に凹んだ形状を有する。この構成によれば、固定刃９０に表方ＷＣ１から衝撃が加えられたとき、薄肉対向部７３Ｃが裏方ＷＣ２に凹まない構成と比較して、薄肉部９１Ｂが固定刃保持部により接触しにくい。
【０１５０】
（１５）固定刃９０は、裏方ＷＣ２に延びる２箇所の固定刃側壁９２を有する。この構成によれば、固定刃側壁９２を有しない固定刃と比較して、固定刃９０の剛性が大きい。また、支持桟部９１Ａおよび各刃部９４は、固定刃側壁９２により支持される。このため、固定刃側壁９２を有することにより、支持桟部９１Ａおよび各刃部９４の厚さを他の部分の厚さより薄くしても、固定刃９０として必要な強度を確保することができる。
【０１５１】
（１６）固定刃保持部７０は、固定刃側壁９２の足部９５の下端と対応する部分に下端対向部７４Ｄを有する。この構成によれば、固定刃９０に表方ＷＣ１側から衝撃が加えられたとき、足部９５と下端対向部７４Ｄとが接触することにより衝撃が下端対向部７４Ｄに伝達される可能性が生じる。このため、厚肉部９１Ｃの変形を抑制することができる。
【０１５２】
（１７）固定刃９０は、剃面９０Ａの刃部９４およびスリット９３が固定刃９０の横方向ＷＢの一方の端部から他方の端部まで連続して形成される。この構成によれば、刃部９４およびスリット９３が横方向ＷＢにおいて不連続な構成と比較して、刃部９４およびスリット９３の端部が肌に引っ掛からない。このため、肌に優しいシェービングを実現することができる。
【０１５３】
（１８）固定刃９０の剃面９０Ａは、装置本体１０に対し剃面９０Ａの先端ほど装置本体１０の中心線Ｃ１の延長線に近づく斜面として形成される。このため、第３ケース１３を把持した状態で剃面９０Ａを肌面にあてがい易い。
【０１５４】
（１９）装置本体１０は、ヘッド部５０の径が第２ケース１２および第３ケース１３の径より小さい。この構成によれば、ヘッド部５０を肌面の所望位置にあてがい易い。
（２０）可動刃１００は、Ｕ字形状の固定刃９０の内側で往復動作する。この構成によれば、肌面への刺激が低減される。また、髭を充分に短く剃ることができる。
【０１５５】
（２１）剃面９０Ａは、平坦面として形成される。この構成によれば、肌に接触する面積を広くできる。これにより、剃り効率を向上させることができる。また、肌に剃面９０Ａをあてがいやすい。
【０１５６】
（２２）刃ブロック６０の枠体７１および固定刃９０の頂部９１は、ヘッド部５０の刃ブロック挿入穴５０Ｘに刃ブロック６０が嵌め込まれているとき、刃ブロック挿入穴５０Ｘから突出する。この構成によれば、固定刃９０の頂部９１がヘッド部５０から突出しているので、剃面９０Ａを肌に当て易くなる。
【０１５７】
（２３）一般にスリット刃は、スリットが頂部の横方向ＷＢの全体にわたり形成されるため、強度が小さい。このため、固定刃としてスリット刃を有する場合、固定刃の強度を大きくすることが好ましい。
【０１５８】
電気かみそり１は、固定刃９０としてスリット刃を有する。この固定刃９０は、中間スリット幅ＳＡが中間刃幅ＢＡよりも小さい。この構成によれば、中間スリット幅ＳＡが中間刃幅ＢＡよりも大きい構成と比較して固定刃９０の強度が高くなる。このため、固定刃９０としてのスリット刃が変形しにくい。
【０１５９】
（２４）固定刃９０の刃中間部９４Ａの中間刃幅ＢＡは直線形状を有する。この構成によれば、刃中間部９４Ａが湾曲する構成と比較して、固定刃９０の強度がより高くなる。
（２５）電気かみそり１の端部スリット幅ＳＤは、中間スリット幅ＳＡよりも大きい。この構成によれば、毛を固定刃９０の内部に導入する部分であるスリット端部９３Ｂのスリット幅が大きいため、固定刃９０の内部に毛を効率よく導くことができる。このため、髭を効率よく剃ることができる。
【０１６０】
（２６）電気かみそり１の端部スリット幅ＳＤは、端部刃幅ＢＤよりも大きい。この構成によれば、端部スリット幅ＳＤが端部刃幅ＢＤよりも小さい構成と比較して、固定刃９０の内部に毛を効率よく導くことができる。
【０１６１】
（２７）電気かみそり１の可動刃１００は、頂部１０１の全体が刃中間部９４Ａに対応して配置される。この構成によれば、可動刃１００により刃中間部９４Ａが支持されるため、固定刃９０が変形しにくくなる。
【０１６２】
（２８）刃中間部９４Ａの厚さは、刃端部９４Ｂの厚さよりも小さい。この構成によれば、刃中間部９４Ａにおいて可動刃１００が毛の根元により近い箇所に位置する。このため、毛を深く刈ることができる。
【０１６３】
（２９）電気かみそり１の全ての刃部９４は、中立位置において可動刃１００の刃部１０４と重なり合う。この構成によれば、全ての固定刃９０の刃部９４が可動刃１００により支持されるため、固定刃９０が変形しにくくなる。
【０１６４】
（３０）電気かみそり１の刃部９４は、傾斜部９４Ｃおよび直線部９４Ｄを有する。傾斜部９４Ｃの刃幅は、横方向ＷＢの外側に向かうにつれて次第に小さくなる。直線部９４Ｄの刃幅は、横方向ＷＢにおいて一定の大きさを有する。この構成によれば、刃部９４の刃幅が段階的に小さくなる構成と比較して、刃部９４が肌に引っ掛かかりにくい。
【０１６５】
（３１）電気かみそり１は、横方向ＷＢにおいて固定刃９０と隣り合う部分に指を当てる突出部７１Ｂを有する。この構成によれば、突出部７１Ｂに指を当てて刃ブロック６０を本体から取り外すとき、突出部７１Ｂが固定刃９０の縦方向ＷＡの延長上にないために指が固定刃９０に接触するおそれをユーザーが抱くことを低減できる。すなわち、ユーザーが安心して刃ブロック６０を本体から取り外すことができる。
【０１６６】
（３２）電気かみそり１は、突出部７１Ｂのうちの固定刃９０とは反対側の端部に、平面部７１Ｃを有する。この構成によれば、ユーザーが突出部７１Ｂを安定してつまみやすい。
【０１６７】
（３３）電気かみそり１は、突出部７１Ｂと対応する本体の部分に凹部を有する。この構成によれば、突出部７１Ｂの突出量が相対的に大きくなる。すなわち、ユーザーが突出部７１Ｂに指をかけやすくなる。また、突出部７１Ｂの突出量を大きくする場合と比較して、突出部７１Ｂが肌に当たることにより剃るときの邪魔になることを抑制することができる。
【０１６８】
（３４）電気かみそり１は、固定刃９０を挟んで対向する２つの突出部７１Ｂを有する。この構成によれば、ユーザーは各突出部７１Ｂを摘んで刃ブロック６０を簡便に取り外すことができる。
【０１６９】
（３５）突出部７１Ｂは、固定刃９０の第３ケース１３側の端部と隣り合う部分に形成される。この構成によれば、突出部７１Ｂが押方ＷＡ１側の端部と隣り合う部分に形成される場合と比較して、突出部７１Ｂが肌に当たることにより毛を剃るときの邪魔になることを抑制することができる。
【０１７０】
（３６）電気かみそり１は、刃ブロック６０をヘッド部５０に対して正規の方向でのみ取り付け可能な規制構造として、リブ５１Ｌおよび溝７５Ｂを有する。この構成によれば、刃ブロック６０をヘッド部５０に組み付けるとき突出部７１Ｂが押方ＷＡ１側の端部に配置されない。このため、突出部７１Ｂが肌に当たることにより毛を剃るときの邪魔になることを抑制することができる。また、規制構造としてリブ５１Ｌおよび溝７５Ｂを有するため、刃ブロック６０がヘッド部５０から外れにくい。また、刃ブロック６０がヘッド部５０に対してしっかり取り付けられたかを確認しやすい。
【０１７１】
（３７）固定刃９０は、平面視における全周が固定刃保持部７０の枠体７１に嵌め込まれる。この構成によれば、固定刃９０の全周が固定刃保持部７０により保持されるため、刃ブロック６０の強度を向上できる。また、本体１０から取り外した刃ブロック６０の固定刃９０の露出面が少なくなるため、ユーザーが安心して刃ブロック６０を取り扱える。
【０１７２】
（３８）固定刃９０および固定刃保持部７０の内部に導入されて刈られた毛は、往復直線運動にともなって固定刃保持部７０の縦方向ＷＡの端部に寄せられる。電気かみそり１は、固定刃保持部７０の各壁部７４において縦方向ＷＡにおいて固定刃保持部７０を貫通する第１排出孔７６を有する。この構成によれば、固定刃保持部７０の縦方向ＷＡの両端部に寄せられる毛を、連通孔により効率的に固定刃保持部７０の外部に排出できるため、毛の排出効率が向上する。
【０１７３】
（３９）固定刃側壁９２は、可動刃側壁１０２と隙間を介して対向する。この構成によれば、固定刃９０の内部に導入された毛を、固定刃側壁９２と可動刃側壁１０２との間の隙間に移動させることができる。このため、固定刃９０と可動刃１００との間にたまった毛が往復直線運動を妨げることを抑制することができる。
【０１７４】
（４０）可動刃保持部８０は、固定刃側壁９２と微小の隙間を介して対向する移動規制部８７を有する。この構成によれば、可動刃１００の固定刃側壁９２に対する横方向ＷＢの移動量は、移動規制部８７および固定刃側壁９２の隙間の大きさに制限される。すなわち、可動刃１００が固定刃９０に対して横方向ＷＢに移動することを抑制することができる。これにより、可動刃１００が刃端部９４Ｂおよび厚肉部９１Ｃと接触すること、および可動刃１００が刃端部９４Ｂおよび厚肉部９１Ｃの裏方ＷＣ２側に入り込むことが抑制される。また、移動規制部８７の固定刃側壁９２と対向する部分の面積は小さい。このため、可動刃１００が移動規制部８７に接触した状態で固定刃９０に対して縦方向ＷＡに移動するときの接触抵抗を小さくすることができる。
【０１７５】
（４１）各壁部７４は、固定刃９０と接触して固定刃９０を固定する２つの固定刃固定部７４Ａと、可動刃１００の往復直線運動にともないばね６１が進入するばね移動空間７８とを有する。押方ＷＡ１側の壁部７４のばね移動空間７８は、縦方向ＷＡにおいて固定刃固定部７４Ａよりも押方ＷＡ１側の部分まで押方ＷＡ１側のばね６１が進入することが可能な大きさを有する。引方ＷＡ２側の壁部７４のばね移動空間７８は、縦方向ＷＡにおいて固定刃固定部７４Ａよりも引方ＷＡ２側の部分まで引方ＷＡ２側のばね６１が進入することが可能な大きさを有する。この構成によれば、固定刃保持部７０の縦方向ＷＡの大きさを小さくすることができる。
【０１７６】
（４２）可動刃保持部の足部８４の下端部分は、固定刃保持部７０のばね固定部７５Ａよりも表方ＷＣ１側に形成される。この構成によれば、可動刃保持部８０がばね移動空間７８の内部に位置することができる。これにより、刃ブロック６０の奥行方向ＷＣの大きさを小さくすることができる。
【０１７７】
（４３）固定刃固定部７４Ａは、固定刃９０が取り付けられた状態で溶融される。この構成によれば、固定刃固定部７４Ａおよび固定刃９０を強固に取り付けることができる。
（４４）可動刃固定部８５は、可動刃１００が取り付けられた状態で溶融される。この構成によれば、可動刃保持部８０および可動刃１００を強固に取り付けることができる。
【０１７８】
（４５）固定刃保持部７０は、各固定刃固定部７４Ａと隣り合う部分において固定刃９０の各フック引掛部９７に引っ掛けられる各フック７４Ｂを有する。この構成によれば、固定刃９０と固定刃保持部７０との接続が強くなる。また、各フック７４Ｂを固定刃固定部７４Ａと隣り合う部分に形成しているため、フック７４Ｂを固定刃固定部７４Ａから離れた部分に形成する場合と比較して、フック７４Ｂを形成するスペースを小さくすることができる。これにより、固定刃保持部７０および固定刃９０の大きさを小さくすることができる。また、刃ブロック６０の組み付け手順（Ｂ４）において、固定刃保持部７０と固定刃９０がずれることを抑制できる。
【０１７９】
（４６）可動刃保持部８０は、可動刃固定部８５と隣り合う部分においてフック８６を有する。可動刃１００はフック８６と対応する部分にフック８６に引っ掛かるフック引掛部１０７を有する。この構成によれば、可動刃１００と可動刃保持部８０との固定が強くなる。また、フック８６を可動刃固定部８５と隣り合う部分に形成しているため、フック８６を可動刃固定部８５から離れた部分に形成する場合と比較して、フック８６を形成するスペースを小さくすることができる。これにより、可動刃保持部８０および可動刃１００の大きさを小さくすることができる。また、刃ブロック６０の組み付け手順（Ｂ１）において、可動刃保持部８０と可動刃１００がずれることを抑制できる。
【０１８０】
（４７）コーム７２Ａを有しない仮想の刃ブロックは、図２７（ａ）に示すように、肌面Ｓに沿った髭Ｈに向かって固定刃９０を肌面Ｓにあてがって矢印方向に移動させるとき、図２７（ｂ）に示すように、髭Ｈが起こされないことがある。この場合、図２７（ｃ）に示すように、髭Ｈが固定刃９０の平坦面と肌面Ｓとの間に潜り込んでしまうおそれがある。電気かみそり１は、固定刃９０の横方向ＷＢの両端部において縦方向ＷＡに沿う複数のコーム７２Ａを有する。この構成によれば、各コーム７２Ａが肌面Ｓに沿った髭Ｈを各スリット９３に誘導するため、毛をスリット９３に効率よく誘導することができる。また、肌面Ｓに沿った髭Ｈを容易に剃ることができる。
【０１８１】
（４８）曲面部７２Ｂの径が小さいほど、裏方ＷＣ２側の奥行方向ＷＣに沿った部分が長くなる。このため、肌面Ｓに沿った髭Ｈは、曲面部７２Ｂの径が小さいほど裏方ＷＣ２側の奥行方向ＷＣに沿った部分に接触しやすくなる。肌面Ｓに沿った髭Ｈは、円弧部９２Ａに接触するときよりも、奥行方向ＷＣに沿った部分に接触するときの方が起こされやすい。コーム７２Ａの曲面部７２Ｂの径は、固定刃９０の円弧部９２Ａの径よりも充分に小さい。この構成によれば、コーム７２Ａは、肌面Ｓに沿った髭Ｈを起こし易くなる。
【０１８２】
（４９）誘導部７２は、複数の刃部９４の全部における横方向ＷＢの両端部にコーム７２Ａを有する。この構成によれば、電気かみそり１は、毛を全てのスリット９３に効率よく誘導することができる。すなわち、刃部９４の一部における横方向ＷＢの両端部にコーム７２Ａを有する場合と比較して髭を起こす効率が高くなる。
【０１８３】
（５０）コーム７２Ａの先端部７２Ｃは、刃中間部９４Ａの裏方ＷＣ２側の面よりも裏方ＷＣ２側に位置する。この構成によれば、コーム７２Ａの突出量が小さいため、先端部７２Ｃが肌に食い込む量を小さくすることができる。これにより、ユーザーがコーム７２Ａの接触により感じる違和感を低減できる。
【０１８４】
（５１）誘導部７２基端部としての枠体７１は、奥行方向ＷＣにおいて、裏方ＷＣ２に向かうにつれて固定刃９０からの突出量が大きくなる。この構成によれば、固定刃９０を肌に対して横方向ＷＢに移動させるとき、肌は枠体７１と接触した後にコーム７２Ａおよび固定刃９０に接触するため、ユーザーが感じる違和感を低減できる。
【０１８５】
（５２）誘導部７２は、枠体７１の一部として形成される。この構成によれば、誘導部７２および枠体７１を別体にする場合と比較して固定刃保持部７０の強度を向上できる。
（５３）固定刃９０および固定刃保持部７０は、互いの位置関係を規定する第１位置決め部９８と、第２位置決め部７４Ｃとを有する。そして、第２位置決め部７４Ｃは、固定刃保持部７０および誘導部７２のうちの縦方向ＷＡの中央に位置する。この構成によれば、誘導部７２は、誘導部７２の縦方向ＷＡの中央において固定刃９０に対して位置決めされる。これにより、誘導部７２の縦方向ＷＡの端部において固定刃９０に対して位置決めされる場合と比較して、誘導部７２のコーム７２Ａと固定刃９０の刃部９４とがずれにくい。
【０１８６】
（５４）ヘッドリンク５３の刃接続部分５３Ｂが、可動刃１００の縦方向ＷＡにおいて引方ＷＡ２の端部と接続する構成によれば、可動刃１００が引方ＷＡ２に偏りやすくなるため、往復直線運動および切れ味が不安定になる。また、ヘッドリンク５３の刃接続部分５３Ｂが、可動刃１００の縦方向ＷＡにおいて押方ＷＡ１の端部と接続する構成によれば、可動刃１００が固定刃９０に対して過度に押し付けられやすいため、往復直線運動が不安定になる。電気かみそり１は、ヘッドリンク５３の刃接続部分５３Ｂと可動刃１００の縦方向ＷＡにおいて中央の連結部８２とを接続する。この構成によれば、刃接続部分５３Ｂと可動刃１００の縦方向ＷＡにおいて端部とを接続する構成と比較して、可動刃１００の駆動が安定する。また、可動刃１００が引方ＷＡ２に偏ることを抑制することができるため、切れ味が安定する。これにより、可動刃１００の往復直線運動を安定させることができる。
【０１８７】
（５５）刃接続部分５３Ｂの表方ＷＣ１側の端面は、連結部８２と隙間を介して対向する。この構成によれば、刃接続部分５３Ｂが可動刃１００を表方ＷＣ１側に過度に押し付けることが抑制される。
【０１８８】
（５６）電気かみそり１は、軸方向ＺＡに延びる形状を有する第１部分５３Ｘを含む第１伝達部と、奥行方向ＷＣに延びる形状を有する第２伝達部としての第２部分５３Ｙを有する。第１伝達部の入力端部である中継部材５４は、変換機構３０を介して電動モーター２１に接続される。また、第２部分５３Ｙの出力側端部である刃接続部分５３Ｂは、連結部８２に接続される。この構成によれば、第２伝達部が縦方向ＷＡに対して直交する奥行方向ＷＣ、すなわち接続方向と略直交向から連結部８２に連結するため、刃接続部分５３Ｂと連結部８２との連結が外れにくい。
【０１８９】
（５７）ばね６１は、第２部分５３Ｙと対向する位置に各ばね６１を有する。この構成によれば、刃相対位置が最大押方位置および最大引方位置にあるときであっても各ばね６１による可動刃１００の押し付け力が安定する。
【０１９０】
（５８）連結部８２は、装置本体１０の中心線Ｃ１上に位置する。この構成によれば、電気かみそり１の本体横方向ＺＢの大きさを小さくすることができる。
（５９）連結部８２は、電動モーター２１の回転中心線Ｃ２上に位置する。この構成によれば、電動モーター２１と可動刃１００との距離を小さくすることができるため、駆動効率を向上できる。
【０１９１】
（６０）刃ブロック６０は、ヘッド部５０から取り外すことができる。この構成によれば、ヘッド部５０から刃ブロック６０を取り外した状態で刃ブロック６０およびヘッド部５０を洗浄することができる。このため、固定刃９０および可動刃１００と、ヘッド部５０の清掃が容易になる。
【０１９２】
（６１）図３１に示される仮想の電気かみそり５００は、薄肉板状の可動刃５４０および固定刃（図示略）を刃ケース５５０から露出させた構成を有する。このため、可動刃５４０は、往復直線運動の移動幅が小さくても体毛を適切に切断することができる。
【０１９３】
一方、ユーザーへの肌当たりをよりソフトにするため、固定刃としての外刃、および可動刃としての内刃を有する構造の電気かみそり（以下、「内蔵型かみそり」）が知られている。
【０１９４】
内蔵型かみそりの一形態は、薄肉板状の金属片に多数の導入孔を形成した固定刃を有する。この内蔵型かみそりは、導入孔に導入された体毛を短く切断するため、固定刃を薄くする必要がある。しかし、固定刃を薄くした場合、固定刃に必要とされる剛性が維持されないおそれがある。
【０１９５】
そこで、固定刃の剛性を確保するため金属片の厚みを厚くする対策が考えられる。しかし、この対策を採用した場合、体毛を剃るときに導入孔に導入される体毛の量が減少するという別の問題が生じる。この問題を解決する方法としては、複数の導入孔に代えて複数のスリットを金属片に形成するものが挙げられる。
【０１９６】
複数のスリットを有する固定刃は、上記の問題を解消するが、スリットの短手方向の幅が導入孔の径よりも大きくなるため、固定刃に対する可動刃の往復直線運動の移動幅を大きくすることが求められる。
【０１９７】
この要求に対応するため、スリットを有する上記内蔵型かみそりの変換機構として、フェースギヤ５３１を有する仮想の電気かみそり５００の変換機構５３０を用いることが考えられる。一方、この変換機構５３０は、偏心カム５３２の往復直線運動の移動幅を大きくするためには、フェースギヤ５３１の直径を大きくする必要がある。このため、変換機構５３０を用いた内蔵型かみそりにおいて、可動刃の往復直線運動の移動幅を大きくする場合、フェースギヤ５３１の大型化にともない本体が太くなる。
【０１９８】
本実施形態の電気かみそり１は、電動モーター２１の回転運動を可動刃１００の往復直線運動に変換する変換機構３０として、リンク機構により構成される機構を有する。この構成によれば、フェースギヤ５３１を有する変換機構５３０と比較して、変換機構３０の本体横方向ＺＢの寸法を小さくしても可動刃１００に要求される往復直線運動の移動幅を確保することが可能になる。このため、装置本体１０を細くすることができる。すなわち、変換機構３０は、可動刃１００の往復直線運動の移動幅を大きくし、かつケースを細くすることに貢献する。
【０１９９】
（６２）第２アーム３１Ｂは、回転軸３１Ｃを支点として第１アーム３１Ａとは異なる方向に延びる。この構成によれば、第１アーム３１Ａおよび第２アーム３１Ｂが回転軸３１Ｃを支点として同方向に延びる形状、すなわち第１リンク３１が直線状に形成される構成と比較して、電気かみそり１の軸方向ＺＡにおいて第１アーム３１Ａの揺動にともなう第２アーム３１Ｂの揺動幅が大きくなる。このため、可動刃１００の往復直線運動の移動幅が大きくなる。
【０２００】
（６３）偏心軸２４の中心線は、電源スイッチ１８の操作面１８Ｃと平行する。この構成によれば、偏心軸２４の軸方向の長さが操作面１８Ｃとの関係により制約されることがない。このため、偏心軸２４の形状についての自由度が高くなる。
【０２０１】
（６４）第１リンク３１の第２距離Ｄ２は、第１距離Ｄ１よりも小さい。この構成によれば、第２距離Ｄ２が第１距離Ｄ１以上の構成と比較して、第１リンク３１の往復直線運動により第２リンク３２を移動させる力が大きくなる。このため、可動刃１００を移動させる力が大きくなる。
【０２０２】
（６５）ヘッド部５０は、解除ボタン５５を有する。この構成によれば、ヘッド部５０を刃ブロック６０に取り付けた状態かつ解除ボタン５５が上方ＺＡ１に押し上げられているとき、刃ブロック６０がヘッド部５０から外れにくい。
【０２０３】
（６６）電気かみそり１は、２次電池１７から電動モーター２１への電力の供給を遮断する電流ヒューズ４６を有する。この構成によれば、電動モーター２１が短絡したとき、電流ヒューズ４６の動作により２次電池１７から電動モーター２１への電流の供給が遮断される。このため、電動モーター２１に過電流が流れることが抑制される。
【０２０４】
本発明は、上記実施形態とは別の実施形態を含む。以下、本発明の別の実施形態としての上記実施形態の変形例を示す。なお、以下の各変形例は、互いに組み合わせることもできる。
【０２０５】
・実施形態の防塵ゴム１６は、上方ＺＡ１に突出する中央部１６Ａを有する。一方、変形例の防塵ゴム１６は、平坦な中央部１６Ａを有する。
・実施形態の防塵ゴム１６は、上方ＺＡ１に突出する中央部１６Ａを有する。一方、変形例の防塵ゴム１６は、下方ＺＡ２に突出する中央部１６Ａを有する。なお、この場合、中央部１６Ａは「基端側凸部」に相当する。
【０２０６】
・実施形態の防塵ゴム１６は、中央部１６Ａの内側に貫通孔１６Ｐを有する。一方、変形例の防塵ゴム１６は、外周部１６Ｂに貫通孔１６Ｐを有する。
・実施形態の防塵ゴム１６は、第２ケース１２に取り付けられる。一方、変形例の防塵ゴム１６は、ヘッドケース５０Ａに取り付けられる。
【０２０７】
・実施形態の防塵ゴム１６は、伝達部を構成する第３リンク３３に取り付けられる。一方、変形例の防塵ゴム１６は、変換部を構成する回転部材２３に取り付けられる。
・実施形態の装置本体１０は、区画部材としてゴム材料により形成される防塵ゴム１６を有する。一方、変形例の装置本体１０は、可撓性を有する樹脂材料、または繊維材料により形成される区画部材を有する。この場合、区画部材は、その一部が撓みにより上方ＺＡ１または下方ＺＡ２側に突出する。
【０２０８】
・実施形態の防塵ゴム１６は、第２ケース１２の内面の全周に接触する。一方、変形例の防塵ゴム１６は、第３リンク３３の内面の一部に接触する。この場合も、防塵ゴム１６が配置される部分は、基端側空間ＲＢに毛屑等が入り込みにくくすることができる。
【０２０９】
・実施形態の第２ケース１２は、防塵ゴム１６を嵌め込むための溝部１２Ａを有する。一方、変形例の第２ケース１２は、溝部１２Ａを省略する。この場合、縁部１６Ｃと第２ケース１２の内面の摩擦により、防塵ゴム１６が第２ケース１２の内面からずれることが抑制される。
【０２１０】
・実施形態の裏方支持部７３Ａは、薄肉対向部７３Ｃが厚肉対向部７３Ｂよりも裏方ＷＣ２側に凹む。一方、変形例の裏方支持部７３Ａは、薄肉対向部７３Ｃおよび厚肉対向部７３Ｂが平坦な面を形成する。
【０２１１】
・実施形態の裏方支持部７３Ａは、薄肉対向部７３Ｃを有する。一方、変形例の裏方支持部７３Ａは、薄肉対向部７３Ｃを省略している。
・実施形態の裏方支持部７３Ａは、薄肉対向部７３Ｃが厚肉対向部７３Ｂよりも裏方ＷＣ２側に凹む。一方、変形例の裏方支持部７３Ａは、薄肉対向部７３Ｃが厚肉対向部７３Ｂよりも表方ＷＣ１側に突出する。この場合、薄肉対向部７３Ｃは、薄肉部９１Ｂと接触する。
【０２１２】
・実施形態の裏方支持部７３Ａは、それぞれ２つの厚肉対向部７３Ｂを有する。一方、変形例の裏方支持部７３Ａは、２つの厚肉対向部７３Ｂの一方を省略している。
・実施形態の固定刃保持部７０は、縦方向ＷＡの両端部に裏方支持部７３Ａを有する。一方、変形例の固定刃保持部７０は、裏方支持部７３Ａの一方を省略している。
【０２１３】
・実施形態の固定刃９０は、横方向ＷＢの両端部の厚肉部９１Ｃの間に薄肉部９１Ｂが形成される。一方、変形例の固定刃９０は、横方向ＷＢの両端部に薄肉部９１Ｂが形成され、薄肉部９１Ｂの間に厚肉部９１Ｃが形成される。なお、この場合、裏方支持部７３Ａは、横方向ＷＢの両端部に薄肉対向部７３Ｃが形成され、両端部の薄肉対向部７３Ｃの間に厚肉対向部７３Ｂが形成される。
【０２１４】
・実施形態の変換部は、偏心軸２４、第１リンク３１、および第２リンク３２を有するリンク機構により構成される。一方、変形例の変換部はフェースギヤを有するギヤ機構により構成される。
【０２１５】
・実施形態の固定刃９０は、端部スリット幅ＳＤが中間スリット幅ＳＡよりも大きい。また、端部刃幅ＢＤが中間刃幅ＢＡよりも小さい。一方、図２８に示されるように、変形例の固定刃９０は、スリット幅および刃幅が一定の形状を有する。
【０２１６】
・実施形態の固定刃９０は、裏方ＷＣ２側が開放される固定部９６を有する。一方、図２８に示されるように、変形例の固定刃９０は、開放部分を有しない円形の固定部９６を有する。この場合、図２８に示されるように、固定刃保持部７０は、固定部９６の形状と対応した固定刃固定部７４Ａを有する。
【０２１７】
・実施形態の可動刃１００は、裏方ＷＣ２側が開放される固定部１０６を有する。一方、図２８に示されるように、変形例の可動刃１００は、開放部分を有しない固定部１０６を有する。この場合、図２８に示されるように、可動刃保持部８０は、固定部１０６の形状と対応した可動刃固定部８５を有する。
【０２１８】
・実施形態の可動刃１００は、スリット１０３が横方向ＷＢに対して傾斜する。一方、図２８に示されるように、変形例の可動刃１００は、スリット１０３が横方向ＷＢに平行する。
【０２１９】
・実施形態の固定刃保持部７０は、固定刃９０の全周に対応する枠体７１を有する。一方、図２８に示されるように、変形例の固定刃保持部７０は、枠体７１の横方向ＷＢの両端部に対応する部分を省略している。
【０２２０】
・実施形態の固定刃固定部７４Ａは、固定刃９０が取り付けられた状態で溶融される。一方、変形例の固定刃固定部７４Ａは、溶融されない。
・実施形態の可動刃固定部８５は、可動刃１００が取り付けられた状態で溶融される。一方、変形例の可動刃固定部８５は、溶融されない。
【０２２１】
・実施形態の剃面９０Ａは、横方向ＷＢに平行する。一方、図２９に示されるように、変形例の剃面９０Ａは、傾斜部９４Ｃの表方ＷＣ１側の面が横方向ＷＢに対して傾斜する、面取り形状を有する。また、図３０に示されるように、固定刃９０の剃面９０Ａ全体を緩やかな曲面とすることもできる。
【０２２２】
図２９および図３０に示される変形例では、剃面９０Ａにおいてスリット９３の端縁の肌面への食い込みを和らげることができる。このため、肌面への刺激を低減しながら、髭を円滑に剃ることができる。なお、肌への押し当てを考慮すると、肌との接触面積が減少することはない。また、固定刃９０の剃面９０Ａの面積が増大する。このため、剃り効率は向上する。
【０２２３】
・実施形態の固定刃９０は、横方向ＷＢに沿って延びるスリット９３を有する。一方、変形例の固定刃９０は、横方向ＷＢに対して傾斜して延びるスリットを有する。
・実施形態の固定刃９０は、平坦な剃面９０Ａを有する。一方、変形例の固定刃９０は、湾曲した剃面９０Ａを有する。なお、湾曲した剃面９０Ａにおいても、肌への接触面積を広くすることが好ましい。
【０２２４】
・実施形態の固定刃９０は、頂部９１に対して固定刃側壁９２が垂直に接続される。一方、変形例の固定刃９０は、頂部９１に対して固定刃側壁９２が傾斜して接続される。
・実施形態の固定刃９０は、直線状の固定刃側壁９２および頂部９１を有する。一方、変形例の固定刃９０は、湾曲した固定刃側壁および頂部により形成される。さらなる変形例の固定刃９０は、複数の屈曲面を有する。いずれにしても、固定刃９０として必要な強度が確保できる範囲で適宜変更することができる。
【０２２５】
・実施形態の固定刃９０は、頂部９１および２つの固定刃側壁９２により形成されるＵ字形状を有する。一方、変形例の固定刃９０は、一方の固定刃側壁９２を省略している。また、さらなる変形例の固定刃９０は、両方の固定刃側壁９２を省略している。いずれにしても、各桟部の両端部が固定刃保持部７０により支持されていれば、固定刃として必要な強度が確保できる。
【０２２６】
・実施形態の固定刃９０は、刃中間部９４Ａの全体が直線形状を有する。一方、変形例の固定刃９０は、刃中間部９４Ａの一部が直線形状を有する。
・実施形態の固定刃９０は、刃中間部９４Ａの厚さが刃端部９４Ｂの厚さよりも小さい。一方、変形例の固定刃９０は、刃中間部９４Ａの厚さが刃端部９４Ｂの厚さよりも大きい、または等しい。
【０２２７】
・実施形態の固定刃９０は、端部刃幅ＢＤが端部スリット幅ＳＤよりも小さい。一方、変形例の固定刃９０は、端部刃幅ＢＤが端部スリット幅ＳＤよりも大きい、または端部刃幅ＢＤと端部スリット幅ＳＤとが等しい。
【０２２８】
・実施形態の刃端部９４Ｂは、傾斜部９４Ｃおよび直線部９４Ｄを有する。一方、変形例の刃端部９４Ｂは、傾斜部９４Ｃおよび直線部９４Ｄの一方を省略する。
・実施形態の刃端部９４Ｂは、直線的に傾斜する傾斜部９４Ｃを有する。一方、変形例の刃端部９４Ｂは、湾曲する傾斜部を有する。
【０２２９】
・実施形態の刃ブロック６０は、コイルばねとしてのばね６１を有する。一方、変形例の刃ブロック６０は、板ばねとしてのばねを有する。
・実施形態の刃ブロック６０は、規制構造としての溝７５Ｂを有し、ヘッド部５０は、規制構造としてのリブ５１Ｌを有する。一方、変形例の刃ブロック６０は、規制構造としてのリブを有し、ヘッド部５０は、規制構造としての溝を有する。
【０２３０】
・実施形態の刃ブロック６０およびヘッド部５０は、刃ブロック６０を正規の方向で取り付けるための規制構造としての溝７５Ｂおよびリブ５１Ｌを有する。一方、変形例の刃ブロック６０およびヘッド部５０は、規制構造を省略する。この場合、刃ブロック６０は、正規の方向に対して１８０度回転した状態でヘッド部５０に取り付けることができる。
【０２３１】
・実施形態の枠体７１は、刃ブロック６０の平面視において固定刃９０の全周を覆う。一方、変形例の枠体は、刃ブロック６０の平面視において固定刃９０の一部のみを覆う。
・実施形態の固定刃保持部７０は、成形品として一体に形成される。一方、変形例の固定刃保持部７０は、枠体および固定部分が別体に形成される。
【０２３２】
・実施形態の可動刃１００は、頂部１０１の全体が固定刃９０の刃中間部９４Ａと重なり合う。一方、変形例の可動刃１００は、頂部１０１の一部が固定刃９０の刃中間部９４Ａと重なり合い、一部が刃端部９４Ｂと重なり合う。
【０２３３】
・実施形態の可動刃１００は、刃相対位置が中立位置のとき固定刃９０の全ての刃部９４に可動刃１００の刃部１０４の少なくとも一部が重なり合う。一方、変形例の可動刃１００は、刃相対位置が中立位置のとき固定刃９０の一部の刃部９４に可動刃１００の刃部の少なくとも一部が重なり合う。
【０２３４】
・実施形態の固定刃保持部７０は、４つの固定刃固定部７４Ａと隣り合う部分にそれぞれフック７４Ｂを有する。一方、変形例の固定刃保持部７０は、４つのフック７４Ｂのうちの少なくとも１つのフック７４Ｂを省略している。
【０２３５】
・実施形態の固定刃保持部７０は、誘導部７２を有する。一方、変形例の固定刃保持部７０は、誘導部７２を省略している。
・実施形態の誘導部７２は、固定刃保持部７０と一体に形成される。一方、変形例の誘導部は、固定刃保持部７０と別体に形成される。
【０２３６】
・実施形態の誘導部７２のコーム７２Ａは、固定刃９０の全ての刃部９４に対応する。一方、変形例の誘導部は、複数の刃部９４のうちの一部に対応する。例えばスリット９３の５ピッチ毎に間引いて配置する。なお、この変形例においては、肌への刺激を比較的少なくすることができる。
【０２３７】
・実施形態の誘導部７２は、先端部７２Ｃが刃中間部９４Ａの裏方ＷＣ２側の面よりも裏方ＷＣ２側に位置する。一方、変形例の誘導部７２は、先端部７２Ｃが刃中間部９４Ａの裏方ＷＣ２側の面よりも裏方ＷＣ２側に位置する。なお、先端部７２Ｃが裏方ＷＣ２側に位置するほど、肌への刺激を小さくすることができる。また、先端部７２Ｃが表方ＷＣ１側に位置するほど、髭Ｈを起こす効率を向上させることができる。
【０２３８】
・実施形態の誘導部７２は、コーム７２Ａの曲面部７２Ｂの径が円弧部９２Ａの径よりも小さい。一方、変形例の誘導部７２は、コーム７２Ａの曲面部７２Ｂの径が円弧部９２Ａの径よりも大きい。なお、コーム７２Ａの曲面部７２Ｂの径を小さくするほど、髭起こし効率を向上できる。また、コーム７２Ａの曲面部７２Ｂの径を大きくするほど、肌への刺激を小さくすることができる。
【０２３９】
・実施形態の誘導部７２は、先端部７２Ｃの表方ＷＣ１側の面が横方向ＷＢと平行な面として形成される。一方、変形例の誘導部７２は、先端部７２Ｃの表方ＷＣ１側の面が固定刃９０から離れるにつれて低く傾斜する。また、この端面を曲面または円弧面とすることもできる。この場合、肌への接触がより滑らかになる。
【０２４０】
・実施形態の固定刃保持部７０は、固定刃保持部７０の縦方向ＷＡの中央に第２位置決め部７４Ｃを有する。一方、変形例の固定刃保持部７０は、固定刃保持部７０の縦方向ＷＡの端部に位置決め部を有する。この場合、固定刃９０の第１位置決め部９８を固定刃保持部７０の位置決め部に対応した位置に変更する。
【０２４１】
・実施形態の固定刃保持部７０は、固定刃保持部７０の縦方向ＷＡの中央に第２位置決め部７４Ｃを有する。一方、変形例の固定刃保持部７０は、固定刃保持部７０の縦方向ＷＡの押方ＷＡ１側の端部と中央との間、または引方ＷＡ２側の端部と中央との間に位置決め部を有する。この場合、固定刃９０の第１位置決め部９８を固定刃保持部７０の位置決め部に対応した位置に変更する。
【０２４２】
・実施形態の固定刃保持部７０は、２つの突出部７１Ｂを有する。一方、変形例の固定刃保持部７０は、２つの突出部７１Ｂのうちの一方を省略する。
・実施形態の固定刃保持部７０は、指当構造として各突出部７１Ｂおよび凹部５１Ｙ，５２Ｙを有する。一方、変形例の固定刃保持部７０は、指当構造として凹部５１Ｙ，５２Ｙのみを有する。
【０２４３】
・実施形態の各突出部７１Ｂおよび凹部５１Ｙ，５２Ｙは、固定刃９０の引方ＷＡ２側の端部に形成される。一方、変形例の各突出部７１Ｂおよび凹部５１Ｙ，５２Ｙは、固定刃９０の押方ＷＡ１側の端部に形成される。
【０２４４】
・実施形態の各突出部７１Ｂおよび凹部５１Ｙ，５２Ｙは、固定刃９０と横方向ＷＢにおいて隣り合う部分に形成される。一方、変形例の各突出部７１Ｂおよび凹部５１Ｙ，５２Ｙは、固定刃９０と縦方向ＷＡにおいて隣り合う部分に形成される。
【０２４５】
・実施形態の可動刃保持部８０は、２つの可動刃固定部８５と隣り合う部分にそれぞれフック８６を有する。一方、変形例の可動刃保持部８０は、２つのフック８６のうちの少なくとも１つのフック８６を省略している。
【０２４６】
・実施形態の可動刃保持部８０は、２つの可動刃固定部８５と隣り合う部分にそれぞれフック８６を有する。一方、変形例の可動刃保持部８０は、４つの可動刃固定部８５と隣り合う部分にそれぞれフック８６を有する。
【０２４７】
・実施形態の可動刃保持部８０は、縦方向ＷＡの中央に連結部８２を有する。一方、変形例の可動刃保持部８０は、縦方向ＷＡの端部に連結部を有する。
・実施形態の可動刃保持部８０は、縦方向ＷＡの中央に連結部８２を有する。一方、変形例の可動刃保持部８０は、縦方向ＷＡの押方ＷＡ１側の端部と中央との間、または引方ＷＡ２側の端部と中央との間に連結部を有する。
【０２４８】
・実施形態の連結部８２は、装置本体１０の中心線Ｃ１および電動モーター２１の回転中心線Ｃ２に位置する。一方、変形例の連結部８２は、装置本体１０の中心線Ｃ１および電動モーター２１の回転中心線Ｃ２のうちの少なくとも一方から所定距離を置いたところに位置する。なお、連結部８２が装置本体１０の中心線Ｃ１および電動モーター２１の回転中心線Ｃ２のうちの一方のみから所定距離を置いたところに位置する場合、装置本体１０の中心線Ｃ１および電動モーター２１の回転中心線Ｃ２は一致しない。
【０２４９】
・実施形態の刃ブロック６０は、２つのばね６１を有する。一方、変形例の刃ブロック６０は、１つ、または３つ以上のばねを有する。
・実施形態のヘッド部５０は、ヘッドリンク５３および中継部材５４を有する。一方、変形例のヘッド部５０は、中継部材５４を省略している。また、第３リンク３３に対する回転が可能な状態でヘッドリンク５３を第３リンク３３に接続する。
【０２５０】
・実施形態の電気かみそり１は、装置本体１０へのヘッド部５０の取り付けおよび装置本体１０からのヘッド部５０の取り外しが可能な構成を有する。一方、変形例の電気かみそり１は、ヘッド部５０が装置本体１０と一体化している。
【０２５１】
・実施形態の電気かみそり１は、固定刃９０としてスリット刃を１つのみを有する。一方、変形例の電気かみそり１は、固定刃９０としてスリット刃を複数有する。
・実施形態の電気かみそり１は、固定刃９０としてスリット刃のみを有する。一方、変形例の電気かみそり１は、固定刃９０としてスリット刃およびネット刃の少なくとも一方を有する。
【０２５２】
・実施形態の変換機構３０は、第１リンク３１、第２リンク３２、および第３リンク３３を有する。一方、変形例の変換機構３０は、第２リンク３２を省略している。この構成は、第１リンク３１の第２アーム３１Ｂを第３リンク３３に対して回転可能な状態で接続する。
【０２５３】
・実施形態の変換機構３０は、第２距離Ｄ２が第１距離Ｄ１よりも大きい第１リンク３１を有する。一方、変形例の変換機構３０は、第２距離Ｄ２が第１距離Ｄ１以下の大きさの第１リンク３１を有する。
【０２５４】
・実施形態の装置本体１０は、偏心軸２４にローラー２５を有し、かつ第１リンク３１に入力部分３１Ｄを有する。一方、変形例の装置本体１０は、入力部分３１Ｄと同等の機能を有する入力部分を偏心軸２４に有し、かつローラー２５と同等の機能を有するローラーを第１リンク３１に有する。また、入力部分およびローラーは、ローラー２５および入力部分３１Ｄと同様の関係を有する。
【０２５５】
・実施形態の変換機構３０は、支持軸３４の中心線の方向が本体横方向ＺＢに平行する。一方、変形例の変換機構３０は、支持軸３４の中心線の方向が本体奥行方向ＺＣに平行する。この構成の第１アーム３１Ａは、電動モーター２１の出力軸２２が回転したとき、回転軸３１Ｃを支点として本体横方向ＺＢにおいて往復直線運動する。
【０２５６】
・実施形態の刃ブロック６０は、可動刃１００の往復直線運動の方向が固定刃９０のスリット９３の長手方向と直交している。一方、変形例の刃ブロック６０は、固定刃９０のスリット９３の長手方向と可動刃１００の往復直線運動の方向とが直交とは異なる角度で交差する。この構成の一例は、固定刃９０のスリット９３の長手方向が可動刃１００の往復直線運動の方向に対して傾斜する。
【０２５７】
・実施形態の駆動装置２０の偏心軸２４は、回転部材２３に固定されている。一方、変形例の駆動装置２０は、回転部材２３および偏心軸２４に代えて、回転部材２３および偏心軸２４が一体化された構造の回転部材を有する。この回転部材は、回転部材２３および偏心軸２４と同等の機能を有する。なお、一体化された構造は、同一の材料により単一の部材として形成された構造を示す。
【０２５８】
・実施形態の駆動装置２０の回転部材２３は、出力軸２２に固定されている。一方、変形例の駆動装置２０は、出力軸２２および回転部材２３に代えて、出力軸２２および回転部材２３が一体化された構造の出力軸を有する。この出力軸は、出力軸２２および回転部材２３と同等の機能を有する。なお、一体化された構造は、同一の材料により単一の部材として形成された構造を示す。
【０２５９】
・実施形態の支持軸３４は、中心線の方向が電源スイッチ１８の操作面１８Ｃの仮想平面と平行している。一方、変形例の電気かみそり１は、支持軸３４に代えて、中心線が操作面１８Ｃの仮想平面と直交する支持軸を有する。また、第１ケース１１のうちの本体横方向ＺＢの側部に電源スイッチ１８を有する。この変形例の支持軸は、支持軸３４と同等の機能を有する。
【符号の説明】
【０２６０】
１…電気かみそり、１６…防塵ゴム（区画部材）、１６Ａ…中央部（先端側凸部）、１６Ｂ…外周部、１６Ｃ…縁部、２１…電動モーター（駆動源）、２２…出力軸（出力部）、３３…第３リンク（伝達部）、９０…固定刃、１００…可動刃。
【図１】
2013126437.tif 000003
【図２】
2013126437.tif 000004
【図３】
2013126437.tif 000005
【図４】
2013126437.tif 000006
【図５】
2013126437.tif 000007
【図６】
2013126437.tif 000008
【図７】
2013126437.tif 000009
【図８】
2013126437.tif 000010
【図９】
2013126437.tif 000011
【図１０】
2013126437.tif 000012
【図１１】
2013126437.tif 000013
【図１２】
2013126437.tif 000014
【図１３】
2013126437.tif 000015
【図１４】
2013126437.tif 000016
【図１５】
2013126437.tif 000017
【図１６】
2013126437.tif 000018
【図１７】
2013126437.tif 000019
【図１８】
2013126437.tif 000020
【図１９】
2013126437.tif 000021
【図２０】
2013126437.tif 000022
【図２１】
2013126437.tif 000023
【図２２】
2013126437.tif 000024
【図２３】
2013126437.tif 000025
【図２４】
2013126437.tif 000026
【図２５】
2013126437.tif 000027
【図２６】
2013126437.tif 000028
【図２７】
2013126437.tif 000029
【図２８】
2013126437.tif 000030
【図２９】
2013126437.tif 000031
【図３０】
2013126437.tif 000032
【図３１】
2013126437.tif 000033